(57)【要約】      （修正有）【課題】建物の１面のみに室の開口を有する場合の自然換気の方法を提供する。【解決手段】建物Ａは室Ｒ１，Ｒ２，Ｒ３、吹抜け４を有する。一方の外壁面１側に各室の開口１ａ，１ｂ，１ｃが設けてある。他方の外壁面２には開口を有しない。吹抜け４上部の換気室６には開口６ｉを設ける。開口６ｉをふさぐように空間をおいて上面の開口している防風板８を設ける。防風板８の上面に強風の風力で閉じる排気用逆流防止ルーバ９を設けることで建物内部が換気される。【選択図】図１
2018021449.tif 000002
【特許請求の範囲】
【請求項１】
開口を有する一方の外壁面と、
一方の外壁面に対して反対側で通気できる開口を有しない他方の外壁面と、建物の最上部に設けられ一方の外壁面に設けた開口と同方向に向けて開口した排気用の開口と、を有し、一方の外壁面に設けた開口から排気用の開口まで内部に換気通路となる空間を有する多層階の自然換気装置を有する建物において、
排気用の開口の外部側に排気用の開口と連通する空間を構成する中空の防風部材を有し、防風部材は上面に開口を有し、
防風部材の上面の開口には建物内部の空気を建物外に排出するが一方の外壁面に吹き付ける風と同方向の空気流が大となると閉じるように作用する排気用逆流防止ルーバを有することを特徴とする自然換気装置を有する建物。
【請求項２】
排気用逆流防止ルーバは水平方向に平たい形状である請求項１に記載の自然換気装置を有する建物。
【請求項３】
排気用逆流防止ルーバは建物の最上部の屋根とほぼ同一高さに配設されていることを特徴とする請求項１又は２に記載の自然換気装置を有する建物。
【請求項４】
最上階の屋上よりも上方に換気室を有し、換気室に排気用の一方の外壁面に吹く風の方向に対向する開口を設けたことを特徴とする請求項１又は２もしくは３に記載の自然換気装置を有する建物。
【請求項５】
排気用逆流防止ルーバは風向きに対して横設された支持軸でもって回転自在に支持された羽根を有し、防風部材に向いて吹く風の強弱により羽根が閉又は開となるように支持軸の羽根に対する位置が定められていることを特徴とする請求項１から４の何れか１つに記載の自然換気装置を有する建物。
【請求項６】
羽根が風力によって開閉する位置と強制して開放又は閉鎖位置とをとる羽根の回転制御装置を有することを特徴とする請求項５に記載の自然換気装置を有する建物。
【請求項７】
一方の外壁面側に設けた開口に面する室を有し、この開口に外気は取り入れるが室内側より外部側へ向う空気流により閉鎖する給気用逆流防止ルーバを備えたことを特徴とする請求項１から６の何れか１つに記載の自然換気装置を有する建物。
【請求項８】
一方の外壁面に設けた室の開口の外側にこの開口と連通する空間を構成する防風部材を有し、防風部材は下面側に外気は室に流入するが室から外部へ室内空気の逆流を抑制する給気用逆流防止ルーバを備えた開口を有した閉塞された空間を有する防風部材であることを特徴とする請求項７に記載の自然換気装置を有する建物。
【請求項９】
建物は一方の外壁面に開口を有する室を備え、一方の外壁面に開口を有する室のこの開口とは反対側の建物内の開口であって排気用逆流防止ルーバに連通している建物内の開口に開閉部材を有し、一方の外壁面側の開口には前記開閉部材の開時に建物全体の換気を行なうと共に前記開閉部材の閉時に室の換気を行なう給気又は給排気を行う装置を有することを特徴とする請求項１から８の何れか１つに記載の自然換気装置を有する建物。
【請求項１０】
一方の外壁面側の開口には上面に風力の大小によって室内への外気の流入を抑制し又は室内空気を排出する換気用逆流防止ルーバと、下面に給気を行なう給気ルーバと、換気用逆流防止ルーバと給気ルーバ間の空間を建物外部に対して閉塞する防風部材と、を有することを特徴とする請求項１から９の何れか１つに記載の自然換気装置を有する建物。
【請求項１１】
防風部材内で換気用逆流防止ルーバと給気ルーバ間を上下に仕切り一方の外壁面側の開口を越えて室内にのびる導風部材を有することを特徴とする請求項１０に記載の自然換気装置を有する建物。
【請求項１２】
一方の外壁面側に開口を有する室のこの開口とは反対側の建物内の開口であって排気用逆流防止ルーバに連通している建物内の開口に開閉部材を有し、
一方の外壁面側の開口は室の天井側と床側に離れて夫々設けられ、天井側の開口には外気の風力により作動して風力の大きいときに閉じる換気用逆流防止ルーバと、建物の全体換気を行うときは閉じ、室の個別換気を行なうときは開く上ダンパとを重ねて設けられ、床側の開口には外気が流入するときは開き、室内の空気が外部に流出しようとするときは閉じる給気用逆流防止ルーバと上ダンパと併せて全体換気、個別換気を共に行なわないときに閉じる下ダンパとを有することを特徴とする請求項１から９の何れか１つに記載の自然換気装置を有する建物。
【請求項１３】
一方の外壁面の開口を上下に仕切って上開口下開口を構成する仕切材と、下開口に設けられ外気を給気できるが室内空気の建物外部への流出を抑制する給気用逆流防止ルーバと、上開口の外部側に設けられ上面が開口して空間を介して上開口と連通する防風部材と、防風部材の上面の開口に設けられ室の空気を建物外へ排出するが外気の風力が大となると閉じるように作用する個別換気用逆流防止ルーバと、仕切材に枢着されて上開口を閉じた位置と内開きしてほぼ水平方向の位置をとり水平方向の位置において導風作用をするダンパとを有することを特徴とする請求項９に記載の自然換気装置を有する建物。
【請求項１４】
給気用逆流防止ルーバは一方の外壁面と平行に立設されている請求項１３に記載の自然換気装置を有する建物。
【請求項１５】
給気又は排気を行う部材は一方の外壁面に対して平行な前板と、一方の外壁面に対して垂直な側板と、夫々一方の外壁面に対して垂直な方向で水平方向に平らな下側の給気用逆流防止ルーバと、及び上側の換気用逆流防止ルーバと、を有して組立状態において中空六立方体状を構成し、側板、給気用逆流防止ルーバ、換気用逆流防止ルーバは夫々一方の外壁面に設けた開口の縁に一方の外壁面に平行な位置と垂直な位置をとるように夫々枢着され、前板は一方の外壁面に沿う位置と一方の外壁面側から離れて一方の外壁面に平行な位置をとるように一方の外壁面に平行運動装置でもって結合されていることを特徴とする請求項１から９の何れか１つに記載の自然換気装置を有する建物。
【請求項１６】
換気用逆流防止ルーバに代えて板材としたことを特徴とする請求項１５に記載の自然換気装置を有する建物。
【請求項１７】
給気用逆流防止ルーバに変えて板材としたことを特徴とする請求項１５に記載の自然換気装置を有する建物。
【請求項１８】
一方の外壁面側にのぞんで設けられた一方の開口と、建物内の空間にのぞんだ開閉部材を備えた他方の開口と、
を有する多層階とした室と、
前記各室の他方の開口と通ずると共に最上部に排気用の開口に通ずる前記空間と、を有することを特徴とする請求項１から１７の何れか１つに記載の自然換気装置を有する建物。
【発明の詳細な説明】
【技術分野】
【０００１】
本発明は複層階で自然換気装置を有する建物に関する。
【背景技術】
【０００２】
図２９図３０図３１は従来例を示す。図２９に示すように建物Ａの一方の外壁面１の側に開口１ａ，１ｂを有し、一方の外壁面１と建物Ａの反対側の他方の外壁面２は最上部を除いて開口を備えない壁面で１階の室Ｒ１、２階の室Ｒ２は他方の外壁面２に沿う吹抜け４に面して開口１ｒａ，１ｒｂしている。吹抜け４の上部には屋根５を備えた換気室６が設けてある。換気室６の一方の外壁面１に近い側の壁には開口６ｉが設けられ、他方の外壁面２の上方には、開口６ｉと同じ高さに開口６ｏが設けられている。開口６ｉ，６ｏは突出し障子７ｉ，７ｏを有する。
図３０に示す建物Ａは開口６ｉ，６ｏに逆止弁７ａ，７ｂを備える点を除き図２９に示す建物Ａと同様である。
逆止弁７ａは風力が小さいときは開いているが風速が例えば１ｍ/ｓ程度以上になると開口６ｉを閉じるようになっている。
【０００３】
図３０のような構成の建物では風速が１ｍ/ｓ程度以上になると図３０に示すように逆止弁７ａは閉じる。そこで風ｗは矢印イ，ロのような空気流となって開口１ａ，１ｂから室Ｒ１，Ｒ２を通じて吹抜け４に吹き抜け、矢印ハ，ニのように吹抜け４中を上昇する空気流は換気室６に入り矢印ホのように開口６ｏに向かい開口６ｏから矢印ヘのように外部に排出される。
【先行技術文献】
【特許文献】
【０００４】
特許文献１  特開２０００−２１３１８４号公報
特許文献２  特開２００３−０８３５７５号公報
特許文献３  特開２００９−１３３５２６号公報
【非特許文献】
【０００５】
なし
【発明の概要】
【発明が解決しようとする課題】
【０００６】
図２９に示す建物において換気室６へ風上側の開口６ｉから流入する空気流トは換気室６を横行して風下側の開口６ｏから排気されてしまう（ショートサーキット）。そして、風上側の開口６ｉから流入した風はその速度が換気室６で減速し、流入空気の速度エネルギーの一部は換気室６で圧力エネルギーに変換される。これにより吹抜け４を上昇して来た空気を主として吹抜け４の上部では逆流チが発生する。風ｗによる開口１ａ，１ｂから吹き込む矢印イの空気流は室Ｒ１，Ｒ２で右行するが流速が小さいので、１階の室Ｒ１に流入した空気は暖められて開口１ｒａを出た後は上昇流となり矢印リ，ヌとなって２階の室Ｒ２を矢印ルのように一方の外壁面１側の開口１ｂに向かい開口１ｂから排気される。この結果１階の室Ｒ１は新鮮な空気になるが２階の室Ｒ２の空気は１階の新鮮でなくなった空気である。
【０００７】
特許文献１，３に示される発明では一方の外壁面側に換気口を備え他方の外壁面には窓がないか開口が少ない。このような場合の換気を計る提案である。特許文献３に係る発明では換気塔を備えている。特許文献１に係る発明ではエコロジカルシャフトと称するダクトを備えている。特許文献３に係る発明では換気塔を備えている。即ち、特許文献１，３に係る発明は背部（他方の外壁面）側に充分換気できる開口を有しない建物において、いわゆる煙突効果による自然換気を行うものであり、換気能力としてはすぐれる。
特許文献２では給気は住宅内部の対向する側部に夫々逆流防止ダンパーを備え、天井に開口し煙突効果の生ずる排気ダクトを立設している。
【０００８】
上記のように図２９に示す自然換気装置を有する建物では風上側と風下側に逆止弁付の給気開口、排気開口を設けたとしても図２９に示すように室内の換気が有効に行われない。
上述したように図２９、図３０に示す建物において風下側の外壁面側に排気用の開口が設けられない場合は建物の換気を如何にすべきかという課題がある。
即ち、周辺の建物の状態、地形、施設等により窓が設けられない場合がある。
【０００９】
図３１は従来例を示す。この建物Ａは図３０に示す建物Ａにおいて２階建を３階建とし、換気室６の風下側の開口６ｏをなくしたものである。風上に対向する開口６ｉに設けた逆止弁７ａは例えば１ｍ/ｓ程度の風ｗの風速で閉じる。開口１ａから１階の室Ｒ１に流入した空気はイの矢印のように進んで暖められて上昇流の矢印リ、ヌとなって３階の室Ｒ３を矢印ルのように一方の外壁面１側の開口１ｃに向い開口１ｃから排気される。この結果１階の室Ｒ１は新鮮な空気になるが３階の室Ｒ３の空気は１階の新鮮でなくなった空気である。
特許文献１，３のように排気ダクトを設けるのは１つの解決手段であるが高い排気ダクトを設けるのは除外される場合は少しとしない。
【００１０】
換気通路として例えば一方の外壁面側の各階に開口を有し、他方の外壁面が開口を備えない壁面で、他方の外壁面内に各階に開放された吹き抜けを有し、吹き抜け上部に屋根を有する換気室を備えた自然換気装置を有する建物において、各階の換気が有効に行われる自然換気装置を有する建物を提供することを目的とする。
【課題を解決するための手段】
【００１１】
本出願に係る第１の発明は開口を有する一方の外壁面と、
【００１２】
一方の外壁面に対して反対側で通気できる開口を有しない他方の外壁面と、建物の最上部に設けられ一方の外壁面に設けた開口と同方向に向けて開口した排気用の開口と、を有し、一方の外壁面に設けた開口から排気用の開口まで内部に換気通路となる空間を有する多層階の自然換気装置を有する建物において、
排気用の開口の外部側に排気用の開口と連通する空間を構成する中空の防風部材を有し、防風部材は上面に開口を有し、
【００１３】
防風部材の上面の開口には建物内部の空気を建物外に排出するが一方の外壁面に吹き付ける風と同方向の空気流が大となると閉じるように作用する排気用逆流防止ルーバを有することを特徴とする自然換気装置を有する建物である。
本出願に係る第２の発明は排気用逆流防止ルーバは水平方向に平たい形状である第１の発明に記載の自然換気装置を有する建物である。
【００１４】
本出願に係る第３の発明は排気用逆流防止ルーバは建物の最上部の屋根とほぼ同一高さに配設されていることを特徴とする第１又は第２の発明に記載の自然換気装置を有する建物である。
【００１５】
本出願に係る第４の発明は最上階の屋上よりも上方に換気室を有し、換気室に排気用の一方の外壁面に吹く風の方向に対向する開口を設けたことを特徴とする第１又は第２もしくは第３の発明に記載の自然換気装置を有する建物である。
【００１６】
本出願に係る第５の発明は排気用逆流防止ルーバは風向きに対して横設された支持軸でもって回転自在に支持された羽根を有し、防風部材に向いて吹く風の強弱により羽根が閉又は開となるように支持軸の羽根に対する位置が定められていることを特徴とする第１から第４の発明の何れか１つに記載の自然換気装置を有する建物である。
【００１７】
本出願に係る第６の発明は羽根が風力によって開閉する位置と強制して開放又は閉鎖位置とをとる羽根の回転制御装置を有することを特徴とする第５の発明に記載の自然換気装置を有する建物である。
【００１８】
本出願に係る第７の発明は一方の外壁面側に設けた開口に面する室を有し、この開口に外気は取り入れるが室内側より外部側へ向う空気流により閉鎖する給気用逆流防止ルーバを備えたことを特徴とする第１から第６の発明の何れか１つに記載の自然換気装置を有する建物である。
【００１９】
本出願に係る第８の発明は一方の外壁面に設けた室の開口の外側にこの開口と連通する空間を構成する防風部材を有し、防風部材は下面側に外気は室に流入するが室から外部へ室内空気の逆流を抑制する給気用逆流防止ルーバを備えた開口を有した閉塞された空間を有する防風部材であることを特徴とする第７の発明に記載の自然換気装置を有する建物である。
【００２０】
本出願に係る第９の発明は建物は一方の外壁面に開口を有する室を備え、一方の外壁面に開口を有する室のこの開口とは反対側の建物内の開口であって排気用逆流防止ルーバに連通している建物内の開口に開閉部材を有し、一方の外壁面側の開口には前記開閉部材の開時に建物全体の換気を行なうと共に前記開閉部材の閉時に室の換気を行なう給気又は給排気を行う装置を有することを特徴とする第１から第８の発明の何れか１つに記載の自然換気装置を有する建物である。
【００２１】
本出願に係る第１０の発明は一方の外壁面側の開口には上面に風力の大小によって室内への外気の流入を抑制し又は室内空気を排出する換気用逆流防止ルーバと、下面に給気を行なう給気ルーバと、換気用逆流防止ルーバと給気ルーバ間の空間を建物外部に対して閉塞する防風部材と、を有することを特徴とする第１から第９の発明の何れか１つに記載の自然換気装置を有する建物である。
【００２２】
本出願に係る第１１の発明は防風部材内で換気用逆流防止ルーバと給気ルーバ間を上下に仕切り一方の外壁面側の開口を越えて室内にのびる導風部材を有することを特徴とする請求項１０に記載の自然換気装置を有する建物である。
【００２３】
本出願に係る第１２の発明は一方の外壁面側に開口を有する室のこの開口とは反対側の建物内の開口であって排気用逆流防止ルーバに連通している建物内の開口に開閉部材を有し、
【００２４】
一方の外壁面側の開口は室の天井側と床側に離れて夫々設けられ、天井側の開口には外気の風力により作動して風力の大きいときに閉じる換気用逆流防止ルーバと、建物の全体換気を行うときは閉じ、室の個別換気を行なうときは開く上ダンパとを重ねて設けられ、床側の開口には外気が流入するときは開き、室内の空気が外部に流出しようとするときは閉じる給気用逆流防止ルーバと上ダンパと併せて全体換気、個別換気を共に行なわないときに閉じる下ダンパとを有することを特徴とする第１から第９の発明の何れか１つに記載の自然換気装置を有する建物である。
【００２５】
本出願に係る第１３の発明は一方の外壁面の開口を上下に仕切って上開口下開口を構成する仕切材と、下開口に設けられ外気を給気できるが室内空気の建物外部への流出を抑制する給気用逆流防止ルーバと、上開口の外部側に設けられ上面が開口して空間を介して上開口と連通する防風部材と、防風部材の上面の開口に設けられ室の空気を建物外へ排出するが外気の風力が大となると閉じるように作用する個別換気用逆流防止ルーバと、仕切材に枢着されて上開口を閉じた位置と内開きしてほぼ水平方向の位置をとり水平方向の位置において導風作用をするダンパとを有することを特徴とする第９の発明に記載の自然換気装置を有する建物である。
本出願に係る第１４の発明は給気用逆流防止ルーバは一方の外壁面と平行に立設されている第１３の発明に記載の自然換気装置を有する建物である。
【００２６】
本出願に係る第１５の発明は給気又は排気を行う部材は一方の外壁面に対して平行な前板と、一方の外壁面に対して垂直な側板と、夫々一方の外壁面に対して垂直な方向で水平方向に平らな下側の給気用逆流防止ルーバと、及び上側の換気用逆流防止ルーバと、を有して組立状態において中空六立方体状を構成し、側板、給気用逆流防止ルーバ、換気用逆流防止ルーバは夫々一方の外壁面に設けた開口の縁に一方の外壁面に平行な位置と垂直な位置をとるように夫々枢着され、前板は一方の外壁面に沿う位置と一方の外壁面側から離れて一方の外壁面に平行な位置をとるように一方の外壁面に平行運動装置でもって結合されていることを特徴とする第１から第９の発明の何れか１つに記載の自然換気装置を有する建物である。
本出願に係る第１６の発明は換気用逆流防止ルーバに代えて板材としたことを特徴とする第１５の発明に記載の自然換気装置を有する建物である。
本出願に係る第１７の発明は給気用逆流防止ルーバに変えて板材としたことを特徴とする第１５の発明に記載の自然換気装置を有する建物である。
本出願に係る第１８の発明は一方の外壁面側にのぞんで設けられた一方の開口と、建物内の空間にのぞんだ開閉部材を備えた他方の開口と、
を有する多層階とした室と、
【００２７】
前記各室の他方の開口と通ずると共に最上部に排気用の開口に通ずる前記空間と、を有することを特徴とする第１から第１７の発明の何れか１つに記載の自然換気装置を有する建物である。
【発明の効果】
【００２８】
本出願に係る第１の発明においては一方の外壁面側に開口を有し他方の外壁面側に開口を有しない建物において有効な自然換気を行うことができる。
本出願に係る第２の発明によれば排気用逆流防止ルーバ上を流れる空気流により換気を助勢し、風力の増大時の建物内の吹き込みを防止する。
【００２９】
本出願に係る第３の発明によれば建物の排気手段が建物の高さとはほぼ同一であるので高い煙突状の排気筒を設けて景観を損ねたり、安全性に課題を生じたりすることがない。
本出願に係る第４の発明によれば屋上に風力に対向する開口を有する換気室を設けるだけであり、建物の外観に影響しない。
【００３０】
本出願に係る第５の発明によれば風力の消長により排気用逆流防止ルーバは自然換気が行える低風速のときは開いており自然換気が保たれ、強風のときは自動で閉まるので風の吹き込みを監視して建物の排気側の開閉操作を行う必要がない。
【００３１】
本出願に係る第６の発明によれば羽根が風力に従って開又は閉となる状態と、強制的に閉鎖又は開放状態に保つことができるので排気用逆流防止ルーバの換気状態を風力のみにまかせるか、人為的に所望の態様にできる選択ができる。
本出願に係る第７の発明によれば室内を新鮮でない空気が逆流するのを防止できる。
本出願に係る第８の発明によれば風が室の開口へ直接吹き込むのが防風部材で抑制される。そして給気用逆流防止ルーバで室内空気が逆流するのを抑制される。
本出願に係る９の発明によれば建物全体の自然換気と、室の個別換気を選択的に行うことができる。
本出願に係る第１０の発明によれば風力が大きくなった場合に室に風が吹き込むのを抑制でき、室の個別の自然換気ができる。
本出願に係る第１１の発明によれば、室への空気の流入出を確実に行うことができる。
【００３２】
本出願に係る第１２の発明によれば床側の開口と天井側の開口が上下に離れているので、個別換気の効率がよい。そして上ダンバを閉めるだけで全体換気に切り替えができる。そして上下ダンパを閉めることにより建物を閉塞でき嵐などの外乱に対応できる。
【００３３】
本出願に係る第１３の発明によれば個別換気の際に給気用逆流防止ルーバから室に進入する空気が水平方向のダンバにより直接上開口に向わないので室の換気効果を向上する。ダンパで上開口を閉じるだけで建物の全体換気を行える。
本出願に係る第１４の発明によれば防風部材の高さを小さくでき、且つ、給気の機能は維持される。
本出願に係る第１５の発明によれば個別の換気は必要のない際に収納できる。
本出願に係る第１６の発明によれば給気用逆流防止ルーバを小さく収納できる。
本出願に係る第１７の発明によれば排気用逆流防止ルーバを小さく収納できる。
【図面の簡単な説明】
【００３４】
【図１】実施例１の建物の縦断面図である。
【図２】排気用逆流防止ルーバの縦断面図である。
【図３】排気用逆流防止ルーバの縦断面図である。
【図４】排気用逆流防止ルーバの縦断面図である。
【図５】実施例２の建物の縦断面図である。
【図６】給排気ボックスの縦断面図である。
【図７】給排気ボックスの斜視図である。
【図８】給排気ボックスと日照の関係図である。
【図９】給排気ボックスの給排気関係図表である。
【図１０】（イ１）（イ２）（イ３）（ロ１）は夫々が給排気ボックスの作用を示す縦断面図である。
【図１１】給排気ボックスの縦断面図である。
【図１２】給排気ボックスを設けた室の個別換気を示す縦断面図である。
【図１３】（ａ）（ｂ）（ｃ）は夫々が実施例４の縦断面図である。
【図１４】実施例５の建物の縦断面図である。
【図１５】実施例５の給排気装置の縦断面図である。
【図１６】実施例５の給排気装置の縦断面図である。
【図１７】給気用逆流防止ルーバの縦断面図である。
【図１８】給気用逆流防止ルーバの縦断面図である。
【図１９】給気用逆流防止ルーバの縦断面図である。
【図２０】実施例６の防風板と排気用逆流防止ルーバの縦断面図である。
【図２１】実施例６の防風板と記排気用逆流防止ルーバの水平断面図である。
【図２２】建物の風上に対向する側の斜視図である。
【図２３】実施例７の収納可能な給排気ボックスの側面図である。
【図２４】実施例７の収納可能な給排気ボックスの水平断面図である。
【図２５】実施例８の給排気ボックス等の既存枠への取付を示す断面図である。
【図２６】防風板の作用を示す縦断面である。
【図２７】給気ボックスの作用を示す縦断面図である。
【図２８】給気ボックスの作用を示す縦断面図である。
【図２９】従来例を示す縦断面図である。
【図３０】従来例を示す縦断面図である。
【図３１】従来例を示す縦断面図である。
【図３２】（ロ２）（ロ３）（ハ）（ニ１）は夫々が給排気ボックスの作用を示す縦断面図である。
【図３３】（ニ２）（ホ１）（ホ２）（へ）は夫々が給排気ボックスの作用を示す縦断面図である。
【図３４】（ト）（チ１）（チ２）（リ）は夫々が給排気ボックスの作用を示す縦断面図である。
【実施例】
【００３５】
以下、図面を用いてこの発明の実施例ついて説明する。
（実施例１）
【００３６】
図１は建物Ａの側断面略図である。建物Ａは多層階で一方の外壁面１の給気口として設けた開口１ａ，１ｂ，１ｃから最上部の排気口として設けた開口６ｉまで通ずる空間に換気通路が構成される。  
【００３７】
建物Ａの正面である一方の外壁面１に各階の室Ｒ１，Ｒ２，Ｒ３の開口１ａ，１ｂ，１ｃを有する。本例では開口１ａ，１ｂ，１ｃは各室Ｒ１，Ｒ２，Ｒ３の天井近くにある。他方の外壁面２は開口を有しない。ここで開口を有しないというのは、開口があっても建物Ａ全体の換気に殆ど寄与しない場合を含む。また、図の紙面に平行する建物Ａの側壁面にも建物Ａ全体の換気に殆ど寄与しない開口があるか、開口が全くない。他方の外壁面２の内には各階の室Ｒ１，Ｒ２，Ｒ３に開口１ｒａ，１ｒｂ，１ｒｃで通ずるように開放された吹抜け４を備えている。ここで吹抜けというのは床面ＦＬから換気室６までをいう。吹抜け４は設備空間であってもよい。即ち、階段、エスカレータ等を一部に備えても良い。
【００３８】
吹抜け４の上部に屋根５を備えた換気室６が設けてある。換気室６の一方の風上側の外壁面１に近い側の壁には開口６ｉが設けられている。換気室６の他方の外壁は外壁面２と同一面となっている。
【００３９】
開口６ｉの外部側に空間を構成する防風部材としてボックス状の防風板８と排気用逆流防止ルーバ（以下ルーバ、又は逆流防止ルーバ、もしくは排気ルーバと称することがある）９で取り囲んでいる。逆流防止ルーバ９の上下方向の位置は吹抜け４の上部の屋根５とほぼ同じである。屋根５は換気室６の屋根である。
【００４０】
防風板８は開口６ｉの外側に空間８ａを構成するように設けられ、この空間８ａは本例では方形である。空間８ａの一方は換気室６に開口６ｉで通じている。空間８ａの上部はルーバ９で仕切られている。ルーバ９、開口６ｉを除く防風板８は通気性のない板材となっている。ルーバ９は排気用逆流防止ルーバである。防風板８は採光が必要なときはガラスであるが、アルミニウムでもよい。
【００４１】
図２、図３、図４は逆流防止ルーバ９を模式的に示す側断面図である。逆流防止ルーバ９の羽根９ａは図の紙面に直交する方向に長いストリップ状である。羽根９ａは図の紙面に直交する方向の中心を持つ支持軸９ｂで揺動自在に四方枠９ｃに支持されている。ここで、支持軸９ｂは風向きに対して横設してある。以下の説明に出て来る各種ルーバにおいても支持軸は風向きに対して横設してある。ここで横設とは水平方向を向く場合に限る。支持軸９ｂは羽根９ａの幅方向（図２において見付方向）の中間にある。羽根９ａは自由な状態では支持軸９ｂに対して立つ方向に付勢されている。即ち、ルーバ９が空気流による力を受けない限り自然に開くようになっている。羽根９ａの付勢は支持軸９ｂの両側の羽根の重力に基く一次モーメントのバランス、支持軸９ｂに設けたねじりコイルばね（図示されない）、錘（図示されない）の取り付け等による。羽根９ａは四方枠９ｃに設けたストッパ１１により反時計回り方向への回転を制止されている（図３参照）。
【００４２】
本例では羽根９ａは支持軸９ｂを境に下側部９ａ１と上側部９ａ２に分れている。上側部９ａ２の幅は下側部９ａ１の幅よりも大きい。支持軸９ｂを中心とする重力に基く一次モーメントは下側部９ａ１が支持軸９ｂより下となるように下側部９ａ１、上側部９ａ２の断面形状が定められている。ここで羽根９ａはアルミニウムである。羽根９ａの断面は平板又は翼形が採用される。
【００４３】
上記構成によれば図３において、左側から右方へ吹く風の風力が一定以上例えば風速１ｍ/ｓ程度以上になれば羽根９ａは支持軸９ｂを中心にして時計回りに回転し、風力が更に増すと羽根９ａは更に回転して重なり合い、逆流防止ルーバ９は閉じる。風力が小さくなると逆に羽根９ａは支持軸９ｂを中心にして反時計回りに回転し逆流防止ルーバ９は開く。
【００４４】
図２、図３、図４に示す逆流防止ルーバ９には羽根の回転制御装置として羽根の開又は閉を強制的に行う開閉装置１２が付設してある。開閉装置１２は夫々の羽根９ａの支持軸９ｂのすぐ上側に図において左右方向に連動する駒１２ａ，１２ａ，１２ａを有する。駒１２ａ間の間隔は支持軸９ｂ間の間隔と同じ間隔である。駒１２ａ，１２ａ，１２ａは四方枠９ｃに図において紙面に平行に移動可能に支持されている。支持軸９ｂは２本、駒１２ａは３個である。駒９ａはストッパ１１と干渉しない位置、例えば羽根９ａの長手方向の互に反対側に配設する。
【００４５】
逆流防止ルーバ９は図３に示すように左側及び中央の駒１２ａがストッパ１１の左側にあって羽根９ａに作用しない位置では、既にのべたように羽根９ａは風力の消長により開閉する。逆流防止ルーバ９において図３の風力による逆流防止の位置から開閉装置１２を右方向に移動すると駒１２ａは支持軸９ｂの上方で右方に向って羽根９ａの上側部９ａ２をすべり乍押して、羽根９ａを支持軸９ｂを中心に時計回りに回して逆流防止ルーバ９を閉じる（図４参照）。図４の位置から駒１２ａを左行させると羽根９ａは支持軸９ｂを中心に反時計回りに回転して羽根９ａは駒１２ａに追従する。駒１２ａがストッパ１１を通過すると羽根９ａはストッパ１１により回転を制止される。駒１２ａはストッパ１１を越えた図３の位置ではルーバ９は一定風速以上では閉まり外部から内部への吹き込みを防止する逆流防止作用を行う位置となる。
【００４６】
逆流防止ルーバ９が図３の位置にある状態で開閉装置１２を左行すると中央の駒１２ａは左側の羽根９ａに達すると共に右側の駒１２ａは右側の羽根９ａに達する。その後羽根９ａの上側部９ａ２の根本近くがストッパ１１に当っているので、羽根９ａは強制的に開放した状態に保たれる。
駒１２ａは通常高所にあるので、リンク装置、巻掛け伝動装置等を介して遠隔操作を行う。又、電動、流体圧駆動等により駒１２ａの位置制御を行っても良い。
【００４７】
図１では建物Ａの一方の外壁面１側に給気側の逆流防止ルーバ（給気用逆流防止ルーバ）１３と防風部材としてボックス状の防風板１４が各室Ｒ１，Ｒ２，Ｒ３の夫々の給気用の開口１ａ，１ｂ，１ｃの外側に設けてある。夫々の開口１ａ，１ｂ，１ｃのすぐ外側には防風部材としての防風板１４と給気用逆流防止ルーバ１３とで給気用の六立方形の空間１４ａが形成されている。給気用逆流防止ルーバ１３は室Ｒ１，Ｒ２，Ｒ３の室内の空気が開口１ａ，１ｂ，１ｃを通じて外部側へ逆流するのを防止するものである。防風板１４は採光が必要なときはガラスであるが、アルミニウムでもよい。
【００４８】
図６を借りて給気用逆流防止ルーバ１３（以下ルーバ又は逆流防止ルーバ、もしくは給気ルーバと称することがある）について説明する。実施例１では換気用逆流防止ルーバ１８に代えて板材とされる。図の下側に逆流防止ルーバ１３が示されている。防風板１４の下側の開口には逆流防止ルーバ１３が設けてある。このルーバ１３の羽根１３ａは図の紙面に直交する方向に長くのびている。羽根１３ａはその幅方向（見付方向）の中間で支持軸１５により揺動自在に支持されている。羽根１３ａは支持軸１５を境に下側部１３ａ１と上側部１３ａ２に分れている。上側部１３ａ２の幅は下側部１３ａ１の幅よりも大きい。支持軸１５を中心とする一次モーメントは下側部１３ａ１が上側部１３ａ２よりも大きくなるように下側部１３ａ１、上側部１３ａ２の断面形状、重量が定められている。尚、本例では錘（図示されない）を下部側１３ａ１に取り付けている。
【００４９】
このような羽根の構成は排気側のルーバ９についての先述と同様である。図６には図示されないが図２、図３、図４に示されるストッパ１１と同様にストッパが設けられていて、羽根１３ａの上側部１３ａ２が上方へ向って時計回りに回転し羽根１３ａが左斜め上りした位置でストッパで支持軸１５を中心とする時計回り方向の回転を止められている。従って、室Ｒ１から開口１ａ，１ｂ，１ｃ、空間１４ａ、ルーバ１３を通じて室内の空気が逆流しようとすると、この空気流により羽根１３ａは支持軸１５を中心として反時計回りに回転してほぼ水平となりルーバ１３は閉じるようになっている。図示されないが図２、図３、図４に示す駒１２ａと同様の駒を設けてルーバ１３を強制的に開放又は閉鎖するようにしてもよい。
図１において図３のようにルーバ９が逆流防止状態にあるときについて考える。風ｗが吹いているとき建物Ａの屋上１０上では矢印で示す空気流ｗ１が生ずる。
【００５０】
風ｗが建物Ａに向って吹くとき、風ｗは建物Ａの図１において左側の一方の外壁面１に当ると大部分の空気はこの外壁面１に沿って上昇し、屋上１０上まで上昇した空気は建物Ａの屋上１０に沿って右方向に流れる空気流ｗ１となる。
【００５１】
防風板８の前面の板により開口６ｉへ向うべき空気流ｗ１が遮られると開口６ｉを通じて建物Ａ内に風が吹き込むことなく上昇してルーバ９上を風下側へ通過する。防風板８に当って下方へ分流する空気流ｗ１‐１（図２６参照）は渦流となる。
【００５２】
このとき、羽根９ａの上方を空気流ｗ１は越えて右方へ流れる。ルーバ９上において空気流ｗ１の下側のルーバ９に近い側には相対的な負圧が生ずる。この流れにより空気流ｗ１の流速が小さいとき羽根９ａの上側の空間の空気圧は建物Ａの室内空気圧に対して負圧となる。更に、図３において羽根９ａの表側（図３の左側の面）に空気流が当ると羽根９ａの裏側（図３の右側の面）には表側の風圧に対して負圧の空間が生ずる。
【００５３】
空気流ｗ１の風速が一定以上になると空気流ｗ１は直接羽根９ａに吹き付ける。すると羽根９ａの上側部９ａ２に加わる空気流ｗ１により羽根９は支持軸９ｂを中心にして図３において時計回りに回転し、ルーバ９の開度は小さくなる。風速が更に大きくなると、羽根９ａは時計回りに回転して互に重なり、ルーバ９は閉じる。これによって建物Ａ内への強風の吹き込みが防止される。風速が小さくなると上記と逆に羽根９ａは支持軸９ｂを中心にして回転してルーバ９は開く。
【００５４】
強風又は風向きが不安定で風が舞うような状態のときでない限り、防風板８の前面に向って吹く空気流ｗ１がルーバ９上を風下側へ流れるとき、ルーバ９のすぐ上側及び羽根９ａの裏側の空間には負圧が生ずる。
【００５５】
建物Ａ内の空気圧が換気室６で上記負圧よりも低くならない限り換気室６内の空気は開口６ｉ、空間８ａ、逆流防止ルーバ９を通じて建物外へ排出され矢印の空気流ｗ２のように排出される。
【００５６】
一方、風ｗが建物Ａの前面（図１において左方の風に面する外壁面１）に吹き付ける。各室Ｒ１，Ｒ２，Ｒ３には給気用の開口１ａ，１ｂ，１ｃが設けられているが風ｗは防風板１４があるので開口１ａ，１ｂ，１ｃを通じて室Ｒ１，Ｒ２，Ｒ３に直接吹き込むことがない。風ｗによる防風板１４回りの空気は開いているルーバ１３を通じ（図２８参照）空間１４ａに入り給気開口１ａ，１ｂ，１ｃから各室Ｒ１，Ｒ２，Ｒ３に流入する（矢印で示す空気流ｗ３）。各室Ｒ１，Ｒ２，Ｒ３では図１において左から右方に空気が流れ、この空気は各室Ｒ１，Ｒ２，Ｒ３と吹抜け４間の開口１ｒａ，１ｒｂ，１ｒｃを通して吹抜け４に入り上昇空気流ｗ４，ｗ５となり換気室６に入り空気流ｗ６のように開口６ｉ、空間８ａ、逆流防止ルーバ９を通じて排出される。これは空気流ｗ２となる。
【００５７】
上記において、各室Ｒ１，Ｒ２，Ｒ３及び吹抜け４、換気室６における空気は風ｗがルーバ１３を介して建物Ａ内に入り建物Ａ内では正圧である。従って建物Ａ内へ換気室６の開口６ｉを通じて空気が吹き込むことがない。
【００５８】
既にのべたように強風又は風が舞って風向きが変動した場合ルーバ９上の空気流ｗ１の大きさ、向きによってはルーバ９を通じて外気が建物Ａ内へ吹き込もうとする。そうなると、図３に示す羽根９ａはその風圧により、支持軸９ｂを中心に回転してルーバ９は閉じる。これによって、建物の排気側からの外気の流入は防止される。
【００５９】
強風等でルーバ９が閉じている状態で、仮に１階の室Ｒ１から吹き込んだ空気が室Ｒ１において昇温した空気を吹抜け４に押し出して吹抜け４を上昇して上階の室Ｒ３を図１において左方に流れようとしても室Ｒ３の給気側のルーバ１３は閉じる（図２７参照）ので下階側で生じた汚れた空気が室Ｒ３に開口１ｒｃ側から流入するのが抑制される。
【００６０】
強風となった後において風速が下がってくるとその前に給気側のルーバ１３は開いており外気が建物Ａ内に入ると建物Ａ内の空気圧は上昇して行く。排気側のルーバ９の内外の空気圧は等しくなるのでやがてルーバ９は図３に示すようにその羽根９ａは支持軸９ｂを中心に反時計回りに回転して開くことになる。
【００６１】
排気側のルーバ９が閉ったときに地上から建物Ａ上方まで一様に風ｗの風速が急に小さくなるような消長のときにはルーバ９が開いて排気が始まるが建物Ａ内の空気圧は建物Ａの空間の容量から急には下らないので建物Ａ内の空気圧は建物Ａの一方の外壁面１の外側の風圧よりも大きくなる。そのときには、吹抜け４側から開口１ｒａ，１ｒｂ，１ｒｃ、室Ｒ１，Ｒ２，Ｒ３を通じて夫々の開口１ａ，１ｂ，１ｃに向う空気の流れが生ずる。このとき、逆流防止ルーバ１３の羽根１３ａは支持軸１５を中心にして図６において反時計回りに回転して閉じる。これによって、吹抜け４中の汚れた空気が室Ｒ１，Ｒ２，Ｒ３に流入するのが抑制される。
以上のとおり、風速が小さいときは自然換気が行われる。また、室において逆流が生じる条件下で逆流を防止できる。強風時に排気口から外気が逆流しない。
（実施例２）
【００６２】
実施例１において建物の換気装置として給気側を単純な開口としたものである。図５は実施例２の建物の縦断面図である。図５について図１と異なる構成作用について説明する。
【００６３】
建物Ａの一方の外壁面１側の開口１ａ，１ｂ，１ｃは図１に示す建物Ａの一方の外壁面１側の開口と同様に室Ｒ１，Ｒ２，Ｒ３の天井側に夫々備わる。開口１ａ，１ｂ，１ｃの上側は庇１ｄで蔽われている。庇１ｄは突き出し障子でもよい。
開口１ａ，１ｂ，１ｃには室内空気を外部に向って流出するのを防止する給気用逆流防止ルーバは備えていない。
【００６４】
この実施例では風ｗが低速度の通常の風速である場合は排気側の逆流防止ルーバ９は開いているので実施例１と同様に換気される。即ち、従来例のように上階の室Ｒ３で空気流の逆流が生ずることがない。
【００６５】
このように換気室６において他方の外壁面２に換気用の開口がなくても、実施例１と同様に排気側の開口６ｉに防風板８とルーバ９を設けることは換気の条件を有効とするのに寄与できる。
【００６６】
ただし、強風時には矢印ｗ７のように室Ｒ１を左方へ流れる空気流ｗ７は開口１ｒａを通じて吹抜け４に出ると、矢印ｗ８，ｗ９のように上昇流となる。ルーバ９は閉っているので上階の室Ｒ３の開口１ｒｃから室Ｒ３に入った空気流ｗ１０は開口１ｃを通じて排出される。この実施例は風ｗの風速が小さい場合に建物Ａ全体の換気に有効である。ルーバ９の閉止が続くと熱だまりＨができるが、吹抜け４の上部にとどまり下部に降りて来ない。よって、風ｗの風速が小さくなりルーバ９が開けば、熱だまりＨは排気される。
なお、図３１の従来例に比べると、ルーバ９によって熱だまりHができにくい。
（実施例３）
【００６７】
各実施例において夫々の室Ｒ２，Ｒ３と吹抜け４との間の開口１ｒｂ，１ｒｃのすぐ外側は図１に示す廊下１６が設けられている。１階の室Ｒ１の床と吹抜け４の床面ＦＬとは開口１ｒａの両側を通じて連続している。これらの開口１ｒａ，１ｒｂ，１ｒｃには通常開閉部材として開閉可能な扉が設けられる。また、開閉部材としては扉と併せて開閉可能な窓が設けられる。
【００６８】
このような構成の場合に開口１ｒａ，１ｒｂ，１ｒｃが閉じられると、閉じられた室は吹抜け４を通じて排気用のルーバ９から排気ができなくなるので換気されない。このような状態の室Ｒ１，Ｒ２，Ｒ３の個別換気が可能な手段について説明する。
【００６９】
建物Ａの全体構成は図１又は図５と同様である。各室Ｒ１，Ｒ２，Ｒ３の開口１ａ，１ｂ，１ｃの外側には図６、図７に全体を符号１７で示す給排気ボックスを備える。図６は側断面図、図７は斜視図である。
【００７０】
上側のルーバ１８は図１に関して説明したルーバ９と同様の構成である。防風部材として設けたボックス状の防風板１４の前板１４ｂは建物Ａの正面である一方の外壁面１と平行な板材である。防風板１４の前板１４ｂの板材の両端部夫々とは直角に板材の側板１４ｃが設けられている。この給排気ボックス１７は正面が前板１４ｂ、背面が開口１ａ，１ｂ，１ｃ、下面が給気用逆流防止ルーバ１３、上面が換気用逆流防止ルーバ１８、側板１４ｃで中空六立方体形状である。
【００７１】
実施例１でのべたように給気用逆流防止ルーバ１３は逆流防止状態で外気は取り入れるが室内の空気の排出を抑制する。換気用逆流防止ルーバ１８は逆流防止状態で室内の空気は排出するが風速の増大に際して室内への外気の吹き込みを防止する。そして、夫々の給気用逆流防止ルーバ１３、換気用逆流ルーバ１８は駒１２ａ（図６、図７では図略）により、夫々風力の大きさにより自在に開閉し及び強制的に全開し全閉できる。
このような給排気ボックス１７は各室Ｒ１，Ｒ２，Ｒ３の天井近くの各開口１ａ,１ｂ,１ｃの夫々の外部側に夫々設けられる。
（各室Ｒ１，Ｒ２，Ｒ３の吹抜け４に面する開口１ｒａ，１ｒｂ，１ｒｃが閉じられた場合（図３４（チ２）の場合を除く）の給排気ボックス１７の作用）
【００７２】
図９は給排気ボックス１７の換気用逆流防止ルーバ（換気ルーバ１８と略記）１８の状態を上から下へ強制開放（開と略記）、逆流防止（定と略記）、強制閉鎖（閉と略記）を左欄の見出しとして１列目に３つの状態を記載してある。そして同ボックス１７の給気用逆流防止ルーバ（給気ルーバ１３と略記）１３の状態を左から右へ強制開放（開と略記）、逆風防止（定と略記）、強制閉鎖（閉と略記）を上欄の見出しとして１行目に３つの状態を記載してある。
【００７３】
給気ルーバ１３と換気ルーバ１８の組み合わせは図９にイからリに示すように９個となる。図１０、図３２、図３３、図３４は上記イからリに示す各場合を図番とし図１０、図３２、図３３、図３４にイからリを附記して夫々の給排気ボックス１７の状態を示す。夫々のルーバの状態において、風ｗの風速が小さい場合、風速が大きい場合について説明する。
【００７４】
図１０（イ１）に示すように給気ルーバ１３、換気ルーバ１８が共に強制開放されている図９のイの場合について説明する。風ｗの風速が小さいときは給気ルーバ１３を通った外気は矢印ａに示すように開口１ａ（建物１階についてのべるが高階も同様、以下同じ）の下側を通じて室Ｒ１に入る。室Ｒ１では給気は室Ｒ１の奥へ向う。事務機器、照明、人体等の熱源で昇温した空気は室Ｒ１の奥側まで順次天井下に上昇して室Ｒ１の奥側で反転して開口１ａに向う。そして矢印ｂで示すように開口１ａの上側の換気ルーバ１８を通じて外部に排出される。なお、給気ルーバ１３から給排気ボックス１７の空間１４ａ中を上昇して換気ルーバ１８を通じて一部の空気が外部へ流動する（図示していない）。
【００７５】
図９のイの場合において風wの風速が大きいときに風ｗは給排気ボックス１７の防風板１４に遮られて開口１ａに直接吹き込まない。給排気ボックス１７の風ｗの開口１ａへの直接の吹き込まない機能は給気ルーバ１３，換気ルーバ１８の態様のすべてで共通している。従って、以下この説明は省略する。風ｗの風力の消長に応じて風速が大となると図１０（イ２）に示すように給気ルーバ１３、換気ルーバ１８から室Ｒ１へ吹き込む空気流ｃ，ｄが生ずる。室Ｒ１内の空気圧は吹き込む空気流ｃ，ｄで加圧されて上昇する。加圧された室内空気は風ｗの風速が小さくなると図１０（イ３）に示すように室Ｒ１内から給気ルーバ１３、換気ルーバ１８を通じて矢印ｅ，ｆで示す空気流のように外部へ流出する。その後室Ｒ１の空気圧が低下した後は図１０（イ１）の状態に戻る。
【００７６】
図１０（ロ１）に示すように給気ルーバ１３が逆流防止状態の定、換気ルーバ１８が開の図９のロの場合では風ｗの風速が小さいときには、給気ルーバ１３開、換気ルーバ１８開を示す図１０（イ１）と同様の空気流ａ，ｂとなる。図９のロの場合において風ｗの風速が大きいときはその消長に応じて風速が増大する際図３２（ロ２）に示すように給気ルーバ１３、換気ルーバ１８から室Ｒ１へ吹き込む空気流ｃ，ｄが生ずる。室Ｒ１内の空気圧は吹き込み流ｃ，ｄで加圧されて上昇する。風ｗの風速が小さくなると図３２（ロ３）に示すように室Ｒ１内から給気ルーバ１３、換気ルーバ１８を通じて矢印ｇ，ｈで示す空気流のように外部へ流出する。このとき給気ルーバ１３は通過する空気流で開度が小さくなる方向になるのでルーバ１３よりも換気ルーバ１８からより多くの室内の空気が排出される。その後室Ｒ１内の空気圧が低下した後は図１０（ロ１）の状態に戻る。
【００７７】
風速の消長する強風時において図３２（ロ２）、図３２（ロ３）示す室Ｒ１への空気の流出入は一方の外壁面１側の開口１ａ近くの室内側に及ぶだけで、室Ｒ１の閉じられている奥側開口１ｒａまでは室内空気の空気圧がわずかに変動するのみである。
図３２（ハ）に示すように給気ルーバ１３が強制閉鎖され換気ルーバ１８が強制開放されている図９のハの場合についてのべる。
【００７８】
風ｗの風速にかかわらず、給気ルーバ１３を通じての外気の給排気ボックス１７への流出入は行われない。風ｗの風速が小さいときは換気ルーバ１８からの室Ｒ１の給排気は殆ど行われない。風wの風速が大きくなって行く過程では換気ルーバ１８から流入しようとする空気は羽根１８ａで空間１４ａの前板１４ｂ側へ導かれるので開口１ａ付近で留まり、風速が小さくなって行く過程で開口１ａ付近の上記空気は換気ルーバ１８を通じて戻る方向に移動する。従って有効な換気効果は期待できない。室Ｒ１内の空気圧が変動するのみである。
【００７９】
図３２（ニ１）ニ示すように給気ルーバ１３が強制開放され、換気ルーバ１８が逆流防止状態（図９の定）にある図９のニの場合についてのべる。風ｗの風速が小さいときは換気ルーバ１８は開いたままである。強制開放されている給気ルーバ１３を通って外気は矢印ａに示すように開口１ａの下側を通じて室Ｒ１に入る。室Ｒ１では事務機器、照明、人体等の熱源で昇温した空気は室Ｒ１の奥側で天井下に上昇して開口１ａに向う。そして矢印ｂで示すように開口１ａの上側、換気ルーバ１８を通じて外部に排出される。なお、給気ルーバ１３から給排出ボックス１７の空間１４ａ中を上昇して換気ルーバ１８を通じて一部の空気が外部へ流動する（図示していない）。上述のように図３２（ニ１）の空気流の態様は風ｗの風速が小さいときの給気ルーバ１３及び換気ルーバ１８を強制開放した図９に示すイの場合（図１０（イ１））、及び給気ルーバ１３を逆流防止状態の定とし換気ルーバ１８を強制開放した図９に示すロの場合（図１０（ロ１））と同様である。
【００８０】
図３３（ニ２）は給気ルーバ１３が強制開放され、換気ルーバ１８が逆流防止状態（図９の定）にある図９のニの場合に、風ｗの風速が大きくなったときを示す。
【００８１】
風ｗの風速が増大すると換気ルーバ１８の外側の空気流により換気ルーバ１８は閉まる。給気ルーバ１３からは外気が矢印ｉに示すように給排気ボックス１７の空間１４ａに入る。ここで換気ルーバ１８の内外に空気圧が加わるが換気ルーバ１８の外部側に生ずる正圧は内部側に生ずる正圧よりも大きいから換気ルーバ１８は閉じている。一方給気ルーバ１３を通じて給排気ボックス１７に流入する矢印ｉの空気流は給気ルーバ１３を通過する際にその有するエネルギーは消耗する。矢印ｉの空気流は給排気ボックス１７中で拡散し、換気ルーバ１８に吹き付ける矢印ｉの空気流の一部は正圧に変り換気ルーバ１８を開く方向に換気ルーバ１８に作用するが、換気ルーバ１８の外部側に加わる空気流による正圧が換気ルーバ１８の内部側に加わる矢印ｉの空気流に基く正圧よりも大きいので換気ルーバ１８は閉じた状態を保つ。このように換気ルーバ１８が閉じ、給気ルーバ１３が開いている状態では室Ｒ１の換気は殆ど行われない。この場合風ｗの風速が増大する過程で換気ルーバ１８は閉じるので強風が室内Ｒ１へ吹き込むことがない。また、給気ルーバ１３を通じて室内へ吹き込む強風も羽根１３ａの向きにより減衰される。室Ｒ１内の空気圧はわずかに上昇する。このような現象は限定的である。
【００８２】
図３３（ホ１）に示すように給気ルーバ１３、換気ルーバ１８が逆流防止状態（図９の定）にある場合についてのべる。風ｗの風速が小さい場合は給気ルーバ１３、換気ルーバ１８は開いた状態を保つ。従って、このときは例えば図９に示すイの場合、即ち、給気ルーバ１３、換気ルーバ１８が共に強制開放されていることを示す図１０（イ１）と同じ矢印ａ，ｂの流れで換気される。
【００８３】
図３３（ホ１）において、風ｗの風速が増すと図３３（ホ２）に示すように既にのべたように空気の流れは給気ルーバ１３が強制開放で換気ルーバ１８が閉った状態の図３３（ニ２）と同じ状態となる。矢印ｉで示す空気の流れは図３３（ホ２）のように示される。図３３（ホ２）の説明は図３３（ニ２）の説明を援用する。
【００８４】
図３３（ヘ）に示すように給気ルーバ１３が強制閉鎖され換気ルーバ１８が逆流防止状態の図９の定の場合について説明する。風ｗの風速にかかわらず給気ルーバ１３を通じての外気の給排気ボックス１７への流出入は行われない。風ｗの風速が小さいときは換気ルーバ１８からの室Ｒ１の給排気は殆ど行われない。風ｗの風速が大きくなって行く過程では換気ルーバ１８は開度が小さくなり、風速が一定風速を越えると閉る。風ｗの風速が小さくなって行くと換気ルーバ１８は開き開度を増大して行く。従って室Ｒ１への外気の流出入は認められない。
図３３（ヘ）の状態の給排気ボックス１７は建物Ａの全体換気の排気に使用される防風板８と排気用逆流防止ルーバ９に代用可能である。
【００８５】
図３４（ト）に示すように給気ルーバ１３が強制開放され換気ルーバ１８が強制閉鎖された図９のトの場合について説明する。風速が小さいと換気ルーバ１８が閉っているので、給気ルーバ１３を通ずる室内外の空気流は出入り共に小さく、風ｗの風速の消長で室Ｒ１の空気圧がわずかに変化するだけである。強風時は図３３（ホ２）、（ニ２）と同じ状態になる。 
【００８６】
図３４（チ１）に示すように給気ルーバ１３が逆流防止状態（図９において定）に、換気ルーバ１８が強制閉鎖（図９のチ）の場合について説明する。この場合実施例１と同様である。風ｗの風速が小さいと、換気ルーバ１８が閉っているので、換気ルーバ１８を通ずる室内外の空気流はない。従って室Ｒ１に給気ルーバ１３、給排気ボックス１７の空間１４ａを通じて流入出する空気は量も小さく運動エネルギーは小さいので給気ルーバ１３は動作しない。風ｗの風速が大きいと給気ルーバ１３を通じて空間１４ａ、室Ｒ１に吹き込もうとする矢印ｉの空気流により室Ｒ１内の空気圧は上昇する。室Ｒ１の空気圧が上昇している状態で風ｗの風速が下降すると給気ルーバ１３の内外の空気圧の差があるので給気ルーバ１３を通じて内部側から外部側へ流れ空気により給気ルーバ１３は開度が小さくなる。従って、室Ｒ１内の空気圧の変動が小さくなる。なお、この場合は開口１ｒａを開くと建物Ａの全体換気を行える。図３４（チ１）において換気ルーバ１８を板材に代えると実施例１の防風板１４と給気ルーバ１３となる。
【００８７】
図３４（チ２）に示すように開口１ｒａ，１ｒｂ，１ｒｃが開いているときには高階の室Ｒ３において開口１ｒｃ、室Ｒ３、開口１ｃ、給排気ボックス１７の空間１４ａ、給気ルーバ１３をとおって逆流しようとする空気流によって給気ルーバ１３は閉じる。
【００８８】
図３４（リ）に示すように給気ルーバ１３、換気ルーバ１８が共に強制閉鎖されている図９のリの場合は室Ｒ１の個別換気は行われない。このリの場合は風ｗが著しく風速大であるとか、終業時に対応している。
上記図１０、図３２、図３３、図３４についての説明は主として室Ｒ１について説明したが、室Ｒ２，Ｒ３について夫々同様である。
（建物最上部に防風板と排気用逆流防止ルーバを備えると共に各室の給気側の開口に給排気ボックスを備えた場合の建物の全体換気）
【００８９】
上述のような個別換気（図３４（チ２）を除く）に対して各室Ｒ１，Ｒ２，Ｒ３と吹き抜け４間の開口１ｒａ，１ｒｂ，１ｒｃが夫々開放している場合において各階Ｒ１，Ｒ２，Ｒ３の給気側の開口１ａ，１ｂ，１ｃに給排気ボックス１７を備えた場合の建物Ａ全体の換気についてのべる。
【００９０】
図１では建物Ａの前面の各室Ｒ１，Ｒ２，Ｒ３に通ずる開口１ａ，１ｂ，１ｃは防風板１４と給気ルーバ１３で蔽われている。この防風板１４と給気ルーバ１３とを併せた給気構成に代えて給排気ボックス１７を設ける。
【００９１】
図６，図７に示す給気ルーバ１３が逆流防止状態にあるとすると、室Ｒ３において給排気ボックス１７に関して通常給気され給気方向と反対方向に逆流する場合の逆流を防止できる。且逆流が止むと給気状態に戻ることができるのは既にのべたように図９で給気ルーバ１３が（定）、換気ルーバ１８が閉の（チ）の場合である。
【００９２】
建物Ａにおいて建物Ａの最高所にある排気ルーバ９が図３に示す逆流防止状態で開放されている際に風ｗに基く強風のために閉まると給気側の給気ルーバ１３をとおり室Ｒ１，Ｒ２を介して吹抜け４へ流れる空気流は吹抜け４における空気圧を上昇させる。吹抜け４からは開口１ｒｃを通じて室Ｒ３中へ空気が流動するのでこの空気流は図３４（チ２）に示すように給気ルーバ１３を閉じる。従って、１，２階の室Ｒ１，Ｒ２，Ｒ３で生じた汚れた空気が３階の室Ｒ３に流入し続けることは阻止される。
給排気ボックス１７において室への空気流の流入出を確実とするための構成を図１１、図１２に示す。
【００９３】
給排気ボックス１７の構成は上述した処と変らない。給排気ボックス内の空間は上空間１４ａ１、下空間１４ａ２に空間を上下に分ける隔離部材並びに空気流を導く導風部材として設けた上下分断ボード２１で上下に分けられている。
【００９４】
上下分断ボード２１は水平な平板状で上空間１４ａ１と下空間１４ａ２は給排気ボックス１７内では連通していない。上下分断ボード２１は室Ｒ１，Ｒ２，Ｒ３内へ延出されている。その延出する長さは、室Ｒ１，Ｒ２，Ｒ３の開口１ａ，１ｂ，１ｃより室内側へ限定的である。本例では、上下分断ボード２１の開口１ａ，１ｂ，１ｃから室Ｒ１，Ｒ２，Ｒ３内への延出の長さは給排気ボックス１７の前板１４ｂから開口１ａ，１ｂ，１ｃを若干超えた位置までとされている。
【００９５】
図１２は室Ｒ１における空気流を示す。空気流は矢印ａ→ｍ→ｎ→ｏ→ｂと流れる。このとき上下分断ボード２１があるため、室Ｒ１の奥側へ向う流れと、天井側を換気ルーバ１８に向う流れを確実にする作用がある。
【００９６】
給排気ボックスの構成によれば、このボックスは建物の排気用防風板と排気用逆流防止ルーバ、防風板と給気用逆流防止ルーバによる窓の個別換気、建物の開口の一部開、全体開、全体閉をとることができる。尚ここで、防風板１４をアルミニウム製パネル構成と換気用逆流防止ルーバ１８の羽根１８ａをアルミ形成とすると図８に示すように給排気ボックス１７は日照ＳＬを遮るのでらんまから室内への直射を防止できる。
（実施例４）
【００９７】
この実施例は各室の外壁側に設ける給排気部材の構成に係る。図１３は室Ｒ１の建物Ａとしては給気側の開口の構成を示す。室Ｒ２,Ｒ３についても同様である。なお、建物Ａの外壁は、ダブルスキンカーテンウォールで構成されている。
【００９８】
室Ｒ１の外壁面１側の床Ｒ１ｆと天井Ｒ１ｃ間の開口は上下両端側を除いて全体としては平板状の隔離部材２２で閉塞されている。隔離部材２２は例えば嵌め殺しの障子である。隔離部材２２の上部には天井Ｒ１ｃとの間又は天井Ｒ１ｃ下近くまでに排気用の開口２２ａが設けられている。隔離部材２２の下部には床Ｒ１ｆとの間又は床Ｒ１ｆ上近くまでに給気用の開口２２ｂが設けられている。
【００９９】
開口２２ａの外部側の面（外壁面１とほぼ同一の面）には外気が上の開口２２ａを通じて室Ｒ１内へ流入するのを外気の空気流によって閉じ、外気よりも室Ｒ１内の空気圧が大きいときは室Ｒ１から開口２２ａを通ずる空気流を阻止しない換気用逆流防止ルーバ２３が設けられている。下の開口２２ｂの外部側の面（外壁面１とほぼ同一の面）には外気が開口２２ｂを通じて室Ｒ１内へ流入するのを阻止しないが室Ｒ１の空気が開口２２ｂを通じて外部へ流出するのを抑制する給気用逆流防止ルーバ２４が設けられている。開口２２ａ,２２ｂの夫々の室Ｒ１内側には排気側ダンパ（以下、上ダンパともいう）２５、給気側ダンパ（以下、下ダンパともいう）２６が設けてある。各ダンパ２５,２６は夫々開口２２ａ,２２ｂを開又は閉とする。ダンパ２５,２６の構成はヒンジ２５ａ,２６ａで開口２２ａ,２２ｂの夫々の縁に枢着された平板の板羽根である。ダンパ２５,２６は図略した操作部材によって水平方向を向いた開又は垂直方向を向いた閉の位置をとるようになっている。上ダンパ２５は室内側へ開いて水平方向となる。下ダンパ２６は開口２２ｂ内で運動する内開きである。
【０１００】
このような給排気構成は建物Ａの外壁面１側に構成されているので、図１又は図５において外壁面１側が図１３の構成を有する（建物全体は図略）。先ず、室Ｒ１，Ｒ２，Ｒ３の吹抜け４に面している開口１ｒａ，１ｒｂ，１ｒｃが閉じている際の作用について説明する。
【０１０１】
開口１ｒａ，１ｒｂ，１ｒｃが閉じている際、室Ｒ１，Ｒ２，Ｒ３の個別換気が行なわれる。図１３（ａ）は個別換気の際のルーバとダンパの状態を示す。上ダンパ２５、下ダンパ２６は開いている。通常風力の風ｗでは外気は給気ルーバ２４、下ダンパ２６が開いている開口２２ｂを通じて矢印ｊのように流入し、室Ｒ１を循環した後は矢印ｋのように上ダンパ２５の開いている開口２２ａ、換気ルーバ２３を通じて排出される。強風時は換気ルーバ２３が閉じるので下の開口２２ｂへ吹き込む風が室Ｒ１を吹き抜けることはない。
【０１０２】
建物Ａの全体換気は室Ｒ１，Ｒ２，Ｒ３の開口１ｒａ，１ｒｂ，１ｒｃの少なくとも１つが開放された状態で行われる。本例では開口１ｒａが開いている。図１３（ｂ）で示すように上ダンパ２５は閉じ、下ダンパ２６は開いた状態である。このときの全体換気における空気流は実施例１において説明した処と同様である。
図１３（ｃ）ではダンパ２５，２６は閉じられており建物Ａ全体の換気、室Ｒ１，Ｒ２，Ｒ３の個別換気は行なわれない。
（実施例５）
【０１０３】
図１４は実施例５の建物の縦断面図である。建物全体の構成は給気側を除いて図１の（実施例１）に示す建物と同様である。以下に図１に示す建物と異なる構成を説明する。
【０１０４】
図１４において風ｗが吹き付ける建物Ａの一方の外壁面１側に各室Ｒ１，Ｒ２，Ｒ３の開口２７が設けられている。この開口２７は各室Ｒ１，Ｒ２，Ｒ３の天井側に設けてある。この開口２７には給排気装置２８が夫々設けてある。
給排気装置２８は各室Ｒ１，Ｒ２，Ｒ３の個別換気と建物Ａの全体換気を選択的に行なうことができる。
【０１０５】
図１５、図１６は給排気装置２８の縦断面図である。上述した図１４の説明の開口２７は夫々が上開口２７ａ、下開口２７ｂとして上下に分れている。下開口２７ｂの下側は窓の上枠となる横架材２９により仕切られた窓３１である。上記開口２７はらんま部分に相当する。窓３１は例えばガラスが嵌め殺しとなっている。横架材２９の内部側にはブラインド３２が設けられている。
開口２７を上下に仕切る横架した仕切材３３により開口２７は上下に仕切られて上開口２７ａ、下開口２７ｂが形成される。仕切り材３３から外方へ突出
【０１０６】
する底板３４ａと底板３４ａの先端から立上る前板３４ｂとは防風部材である防風ボックスとし構成する防風板３４の部材である。前板３４ｂは外壁面１と平行しほぼ上開口２７ａと形状大きさが同じで空間３４ｃをおいて上開口２７ａと対向している。防風板３４の内側の空間３４ｃは両端が図１５、図１６の紙面に平行な板材で塞がれている。防風板３４で囲まれた空間３４ｃの開放された上部開口には個別換気用逆流防止ルーバ３５が設けてある。換気用逆流防止ルーバ３５の構成は図３を用いて説明した逆流防止ルーバ９（建物としての換気における排気用の開口に設けたルーバ）において駒１２ａを備えない構成となっている。従って、換気用逆流防止ルーバ３５は風ｗの風速が大となる風力により閉じ風速が小となると開く。
【０１０７】
仕切材３３に図の紙面に直交する方向の中心を有するヒンジ３６ａによりダンパ３６が支持されている。ダンパ３６はヒンジ３６ａを中心にして回動して垂直位置においては上開口２７ａを閉じ、水平位置においては上開口２７ａを開放する。ダンパ３６は水平位置において、導風作用を有し、室内換気の際下開口２７ｂから室Ｒ１に進入した外気が室Ｒ１へ吹き込まないで上開口２７ａ、空間３４ｃ、換気用逆流防止ルーバ３５を通じて吹き抜けるのを抑止する機能を持っている。ダンパ３６の水平状態はダンパ３６のヒンジ３６ａを中心として時計回りに回動するのを制止する図示されないストッパにより保たれる。
【０１０８】
下開口２７ｂをふさぐように給気用逆流防止ルーバ３７が配設されている。このルーバ３７は外気は自由に進入し、室内空気が外部に流出するのを抑制する機能をもっている。
【０１０９】
図１７、図１８、図１９は給気用逆流防止ルーバ３７の側断面略図である。給気用逆流防止ルーバ３７の羽根３７ａは図の紙面に直交する方向に長いストリップ状である。羽根３７ａは図の紙面に直交する方向の支持軸３７ｂで揺動自在に下開口２７ｂを構成する両側の竪枠に支持されている。支持軸３７ｂは羽根３７ａの幅方向（図１９において見付方向）の中間にある。羽根３７ａの支持軸３７ｂで分れる大幅部３７ａ２は小幅部３７ａ１より幅が広い。支持軸３７ｂを中心とする重力による一次モーメントは大幅部３７ａ２よりも小幅部３７ａ１の方がわずかに小さい。これによって羽根３７ａは支持軸３７ｂを中心に時計回りに回動する。羽根３７ａの回動はストッパ３７ｃで止められる。
【０１１０】
図１６に示すように風ｗの風速の大小にかかわらず給気状態のときは羽根３７ａ間は開いている。ストッパ３７ｃは羽根３７ａの小幅部３７ａ１の上側で支持軸３７ｂの近くに設けてもよい。
【０１１１】
上述の給気用逆流防止ルーバ３７は建物Ａ全体の換気時、室Ｒ１の個別の換気時で図１８の逆流防止状態にあるとき給気の空気流は図１５、図１６の矢印ｑのように左から右方に流れるので羽根３７ａは支持軸３７ｂを中心とする時計回りのモーメントが増大するだけで開いたままである。尚、空気流により羽根３７ａが受ける力は羽根表では正圧、羽根裏では負圧となり、羽根３７ａは空気流により表裏で同方向の力を受ける。図１４において、室Ｒ１から室内空気が外部側に向う空気流が生ずると、図１８において羽根３７ａは支持軸３７ｂを中心にして反時計回りに回動して羽根３７ａは互いに重なり、且つ下開口２７ｂの開口枠との間も閉じる。従って室内空気は逆流して下開口２７ｂから排出されない。
【０１１２】
実施例１の図２、図３、図４に示す排気用逆流防止ルーバ９と同様に駒１２ａを備えた開閉装置１２が設けられている。本例の駒１２ａは上下方向に移動する。実施例１の駒１２ａは左右方向に移動する点を除くと駒１２ａの構成作用は同様であるのでその説明は実施例１における説明を援用する。
（実施例５の作用）
（全体換気）
【０１１３】
図１６に示すようにダンパ３６は図示されない操作部材を介して閉じており、上開口２７aを通じた空気流は無い。図１８に示すように給気は許すが逆流は抑止するように開放されている給気用逆防止ルーバ３７を通じて室Ｒ１，Ｒ２，Ｒ３、吹抜け４、換気室６と流れた空気は排気用逆流防止ルーバ9を通じて排気される。
【０１１４】
強風で排気用逆流防止ルーバ９が閉じると図１４においても、図５で説明したように下階の室Ｒ１の空気は吹抜け４、上階の室Ｒ３を通じて室Ｒ３の下開口２７ｂに向う。開口２７は上開口２７ａがダンパ３６で閉じているので下開口２７ｂを通じて室内の空気が外へ出ようとすると、羽根３７ａの室内に面する側はその空気流により圧せられ羽根３７ａは支持軸３７ｂを中心にして反時計回りに回転して給気用逆流防止ルーバ３７は閉じるので、上階の室Ｒ３には逆流は生じない。従って、下階の室Ｒ１から汚れた空気が上階室Ｒ３へ回り込むことが防止される。
（個別換気）
【０１１５】
各室Ｒ１，Ｒ２，Ｒ３と吹抜け４間の開口１ｒａ，１ｒｂ，１ｒｃが閉じられている場合について説明する。以下、室Ｒ１についてのべるが室Ｒ２，Ｒ３においても同様である。このとき、図１５に示すように室Ｒ１においてダンパ３６を開く。矢印ｑのように給気用逆流防止ルーバ３７を通じて室Ｒ１へ外気が流入する。ダンパ３６により室Ｒ１において下開口２７ｂから上開口２７ａに直接流れようとする空気流は生じない。風ｗに基く矢印ｑの空気流は室Ｒ１に押し込まれる空気流であるので室Ｒ１の下層を奥側へ向って進み、室Ｒ１の事務機器、照明、人体等により加熱された空気は上昇し乍進み室Ｒ１の奥で天井側へ反転して天井側を上開口２７ａへ進み、上開口２７ａ、空間３４ｃ、個別換気のための排気用逆流防止ルーバ３５を通じて矢印ｒのように排出される。このとき、ダンパ３６があるので矢印ｑの空気流が下開口２７ｂから室Ｒ１に流入してから直接上開口２７ａに向かうことは抑制されるので矢印ｒの空気流が確保される。
【０１１６】
風ｗの風速が増すと換気用逆流防止ルーバ３５は閉じる。矢印ｑの給気となる空気流は室Ｒ１の空気が閉じられているのでその速度を減衰するので室Ｒ１の一部の空気の乱れが生ずるだけである。
【０１１７】
この実施例によれば建物全体の換気と各室の個別換気を効果的に行うことができ、且つ全体換気と個別換気の切換はダンパ３６のみであるので操作にわずらわしさがない。
【０１１８】
上記において、ダンパ３６の操作部材と室Ｒ１，Ｒ２，Ｒ３の開口１ｒａ，１ｒｂ，１ｒｃを開閉する障子等の操作部材を連動することにより、ダンパ３６の開閉を意識することなくこの障子を開閉することにより全体換気と個別換気の切換ができるので好適である。
【０１１９】
上記において、給気用逆流防止ルーバ３７は図１７に示すように強制開放しても個別換気の作用は同じである。図１９に示す給気用逆流防止ルーバ３７の強制閉鎖は風ｗがきわめて強い風雨等の悪天候の際に用いられる。このとき、強風により排気ルーバ９、換気ルーバ３５は閉じるので建物Ａ内への強風の吹き込みはない。
（実施例６）
建物全体又は建物の一部分へ給気又は排気を行う夫々の装置の具体的な構成について説明する。
【０１２０】
図２０は建物Ａ全体の排気のための防風板８と排気用逆流防止ルーバ９の側断面図、図２１は水平断面図である。六立方体の空間８ａの稜線の位置にアルミニウム押出型材の枠材を配して一体的とした構造材で六立方枠体８ｂが構成されている。六立方枠体８ｂの正面側の上枠、下枠、竪枠により囲撓構成した四方枠の内周の条溝８ｃには前板である正面防風板８ｄが嵌め込まれている。六立方枠体８ｂの下面側の四方枠の内周に設けた条溝８ｅには下板となる下面防風板８ｆが設けられている。図２０の紙面に平行する側板となる側面防風板８ｇは図２１に示すように空間８ａの図２０の紙面に平行な両端にあり、該位置における六立方枠体８ｂの四方枠の内周側の条溝８ｈに嵌め込まれている。六立方枠体８ｂの上部の四方枠にはその内周側に排気用逆流防止ルーバ９が設けられている。
【０１２１】
換気室６と空間８ａ間の開口６ｉには四方枠が躯体に固定され四方枠に引き違い障子４１が開閉自在に嵌め込まれている。このような立体形の防風板８と排気用逆流防止ルーバ９を備えた建物Ａの上部の外観は斜視図の図２２に示されている。
【０１２２】
上述した防風板８は建物Ａの最高位置にあり、箱形でらんまの障子４６を設ける面より突出している。なお、図２２には防風板８の下方に吹抜け４の明り取りとして設ける場合の障子４６を付記してある。図２２に（１４）とあるのは給気側の防風板として建物Ａの中間位置に使用した場合を示している。
（実施例７）
【０１２３】
建物Ａの室Ｒ１，Ｒ２，Ｒ３の窓のらんまの位置に設ける換気又は排気のための防風板、ルーバ等を収納可能とした構成を図２３、図２４に示す。図６、図７に示した給排気ボックス１７に適用される。また、排気用防風板８、給気用防風板１４にも適用可能である。
図２３においてらんまを構成する四方枠４２の上枠４２ａには換気用逆流防
【０１２４】
止ルーバ１８の外周枠１８ｂがヒンジ４２ａ１でもって枢着されている。ヒンジ４２ａ１はその中心の軸は四方枠４２の上枠４２ａと平行している。換気用逆流防止ルーバ１８は図２３に点線で軌跡ｒ１を示すように水平方向の位置と水平方向の位置からヒンジ４２ａ１を中心にして反時計回りに回動して四方枠４２に沿う位置とをとることができる。換気用逆流防止ルーバ１８は水平位置においては防風板１４の前板１４ｂを保持する四方枠１４ｅの上枠により支持される。
【０１２５】
らんまを構成する四方枠４２の下枠４２ｂには給気用逆流防止ルーバ１３の外周枠１３ｂがヒンジ４２ｂ１でもって枢着されている。ヒンジ４２ｂ１はその中心の軸が四方枠４２の下枠４２ｂと平行している。給気用逆流防止ルーバ１３は図２３に点線で軌跡ｒ２を示すように水平方向の位置からヒンジ４２ｂ１を中心にして時計回りに回動して四方枠４２に沿う位置をとることができる。給気用逆流防止ルーバ１３が水平方向の位置においては、前板１４ｂを保持している四方枠１４ｅの下枠に設けた図示されないストッパにより下方への回動が止められるようになっている。
【０１２６】
図２４に示すように防風板１４の側板１４ｃは四方枠１４ｄで保持された側板である。側板１４ｃはらんまを構成する四方枠４２の竪枠４２ｃに上下方向の中心軸を有するヒンジ４２ｃ１で夫々枢着されている。四方枠１４ｄで保持された側板１４ｃは図２４に示すように外壁面１に平行する四方枠４２を含む面に直交する位置と四方枠４２を含む面に給気用逆流防止ルーバ１３、換気用逆流防止ルーバ１８を間にして重なる位置をとる。
【０１２７】
防風板１４の前板１４ｂの縁は四方枠１４ｅの内周の条溝１４ｅ１に嵌め込まれ保持されている。前板１４ｂ、四方枠１４ｅは図２３、図２４に示す位置と四方枠４２と近接して重なる位置をとることができる。本例では前板１４ｂと四方枠１４ｅはらんまとなる四方枠４２に対して平行運動をとるようにしてある。平行運動装置としては種々の構成が採用される。
【０１２８】
図２３に示すように四方枠４２の竪枠４２ｃの上部にリンク４３の上端がピン４３ａで枢着されている。リンク４３の下端はピン４３ｂによりすべり子４３ｃに枢着されている。すべり子４３ｃは四方枠１４ｅの竪枠１４ｆの下部に上下方向に長く設けた案内条溝１４ｆ１に上下動自在に嵌合している。リンク４３，４４はピン４５により枢着されている。
四方枠１４ｅの竪枠１４ｆの上部にリンク４４の上端がピン４４ａで枢着されている。リンク４４の下端はすべり子４４ｃにピン４４ｂにより枢着されて
いる。すべり子４４ｃは竪枠４２ｃの下部に上下方向に長く設けた案内条溝４２ｃ２に上下動自在に嵌合している。
【０１２９】
この実施例での給排気ボックス１７の収納についてのべる。図２３に示す換気用逆流防止ルーバ１８の外周枠１８ｂの四方枠１４ｅへの係止を解く。ヒンジ４２ａ１を中心にして反時計回りに換気用逆流防止ルーバ１８を回動して四方枠４２の上半部に重ねる。ヒンジ４２ｂ１を中心にして反時計回りに給気用逆流防止ルーバ１３を時計回りに回動して四方枠４２の下半分に重ねる。
【０１３０】
図２４に示すようにヒンジ４２ｃ１を中心にして側板１４ｃを夫々回動して四方枠４２に先に収納してある給気用逆流防止ルーバ１３、換気用逆流防止ルーバ１８を介して重ねる。これによって、平行運動装置の部材であるリンク４３，４４、すべり子４３ｃ，４４ｃを介して四方枠１４ｅに保持された前板１４ｂは四方枠４２の前方の空間に位置する。
【０１３１】
最後に前板１４ｂを四方枠４２に向って移動すると、リンク４３，４４は交叉角θを拡大すると同時にすべり子４３ｃ，４４ｃは案内条溝１４ｆ１，４２ｃ２に案内されて下降する。これによって四方枠１４ｅに保持された前板１４ｂは四方枠４２上に先に重ねられている換気ルーバ１８，給気ルーバ１３、四方枠１４ｄで保持された側板１４ｃに重ねられる。
収納してある給排気ボックス１７を作用する状態とするには上記と逆の順序で展開する。
【０１３２】
この実施例において、換気ルーバ１８に代えて板材で上面を閉塞すると実施例１における防風板１４と給気ルーバ１３を備えた給気ボックスに適用される。また、給気ルーバ１３に代えて板材で下面を閉塞するとボックス状の防風板８と排気ルーバ９を備えた排気ボックスに適用される。
【０１３３】
上記において、給排気ボックス１７を建物の開口部の四方枠４２に造り付けとしたが、四方枠４２を給排気ボックス１７を構成する部材とすることにより、給排気ボックス１７はユニット化されるので建物への取り付けは締結部材のみによることができる。従って、ユニット化により建物への取り付けが容易となる。
（実施例８）
【０１３４】
図２５は既存枠への給排気ボックス１７又は排気用逆流防止ルーバ９を備えたボックス状の防風板８の既存枠への取付を示す水平断面図である。建物Ａの開口（６ｉ，１ａ，１ｂ，１ｃ）の内周に設けた開口枠の竪枠４７の外部側には上下方向に突条４７ａが設けられている。
【０１３５】
図２０、図２１に示す防風板８と排気用逆流防止ルーバ９を有する排気ボックスの突条４７ａへの取付を説明する。排気ボックスの建物Ａに沿う側の上下方向の竪枠８ｉは全体として溝型鋼形（材質はアルミニウム）で片側のフランジ８ｊは先端８ｊ１で折り返して舌部８ｊ２をフランジ８ｊに重ねられている。舌部８ｊ２で形成される溝部８ｊ３の幅は組立状態で突条４７ａの厚さと等しい。舌部８ｊ２の先端は図において下方に曲げられて導入部８ｊ４となっている。部品の状態では導入部８ｊ４の根本である口部８ｊ５はフランジ８ｊに接しているか、近接している。
【０１３６】
排気ボックスは建物Ａ側の突条４７ａに条溝８ｊ３の口部８ｊ５から差し込む。舌部８ｊ２の導入部８ｊ４、口部８ｊ５とフランジ８ｊ間は突条４７ａにより押し拡げられて、突条４７ａはフランジ８ｊと舌部８ｊ２で強く加圧される。
このように、この排気ボックスは既存建物の排気用の開口に取付可能である。同様に給気ボックス、給排気ボックスを既存枠に取り付けることができる。
【符号の説明】
【０１３７】
１…一方の外壁面  １ａ，１ｂ、１ｃ，１ｒａ，１ｒｂ，１ｒｃ…開口  １ｄ…庇  
２…他方の外壁面  
４…吹抜け
５…屋根  
６…換気室  ６ｉ…開口
８…防風板  ８ａ…空間  ８ｂ…六立方枠体  ８ｃ…条溝  ８ｄ…正面防風板８ｅ…条溝  ８ｆ…下面防風板  ８ｇ…側面防風板  ８ｈ…条溝  ８ｉ…竪枠  ８ｊ…フランジ  ８ｊ１…先端  ８ｊ２…舌部  ８ｊ３…条溝  ８ｊ４…導入部  ８ｊ５…口部  
９…排気用逆流防止ルーバ  ９ａ…羽根  ９ａ１…下側部  ９ａ２…上側部９ｂ…支持軸  ９ｃ…四方枠
１０…屋上
１１…ストッパ
１２…開閉装置  １２ａ…駒
１３…給気用逆流防止ルーバ  １３ａ…羽根  １３ａ１…下側部  １３ａ２…上側部  １３ｂ…外周枠
１４…防風板  １４ａ…空間  １４ａ１…上空間  １４ａ２…下空間  １４ｂ…前板  １４ｃ…側板  １４ｄ…四方枠  １４ｅ…四方枠  １４ｅ１…条溝  １４ｆ…竪枠  １４ｆ１…案内条溝
１５…支持軸
１６…廊下
１７…給排気ボックス  
１８…換気用逆流防止ルーバ  １８ａ…羽根  １８ｂ…外周枠
２１…上下分断ボード
２２…隔離部材  ２２ａ，２２ｂ…開口
２３…換気用逆流防止ルーバ
２４…給気用逆流防止ルーバ
２５…排気側ダンパ（上ダンパ）  ２５ａ…ヒンジ
２６…給気側ダンパ（下ダンパ）  ２６ａ…ヒンジ
２７…開口  ２７ａ…上開口  ２７ｂ…下開口  
２８…給排気装置
２９…横架材
３１…窓
３２…ブラインド
３３…仕切材
３４…防風板  ３４ａ…底板  ３４ｂ…前板  ３４ｃ…空間
３５…個別換気用逆流防止ルーバ  
３６…ダンパ  ３６ａ…ヒンジ
３７…給気用逆流防止ルーバ  ３７ａ…羽根  ３７ａ１…小幅部  ３７ａ２…大幅部  ３７ｂ…支持軸
４１…障子
４２…四方枠    ４２ａ…上枠  ４２ａ１…ヒンジ  ４２ｂ…下枠  ４２ｂ１…ヒンジ  ４２ｃ…竪枠  ４２ｃ１…ヒンジ  ４２ｃ２…案内条溝
４３…リンク  ４３ａ，４３ｂ…ピン  ４３ｃ…すべり子
４４…リンク  ４４ａ，４４ｂ…ピン  ４４ｃ…すべり子  
４５…ピン
４６…障子
４７…竪枠  ４７ａ…突条
Ａ…建物
Ｒ１，Ｒ２，Ｒ３…室  Ｒ１ｆ…床  Ｒ１ｃ…天井
ＦＬ…床面
Ｈ…熱だまり
ＳＬ…日照
ｗ…風  ｗ１，ｗ１−１，ｗ２，ｗ３，ｗ４，ｗ５，ｗ６，ｗ７，ｗ１０…空気流  ｗ８，ｗ９…上昇流
θ…交叉角
【図１】
2018021449.tif 000003
【図２】
2018021449.tif 000004
【図３】
2018021449.tif 000005
【図４】
2018021449.tif 000006
【図５】
2018021449.tif 000007
【図６】
2018021449.tif 000008
【図７】
2018021449.tif 000009
【図８】
2018021449.tif 000010
【図９】
2018021449.tif 000011
【図１０】
2018021449.tif 000012
【図１１】
2018021449.tif 000013
【図１２】
2018021449.tif 000014
【図１３】
2018021449.tif 000015
【図１４】
2018021449.tif 000016
【図１５】
2018021449.tif 000017
【図１６】
2018021449.tif 000018
【図１７】
2018021449.tif 000019
【図１８】
2018021449.tif 000020
【図１９】
2018021449.tif 000021
【図２０】
2018021449.tif 000022
【図２１】
2018021449.tif 000023
【図２２】
2018021449.tif 000024
【図２３】
2018021449.tif 000025
【図２４】
2018021449.tif 000026
【図２５】
2018021449.tif 000027
【図２６】
2018021449.tif 000028
【図２７】
2018021449.tif 000029
【図２８】
2018021449.tif 000030
【図２９】
2018021449.tif 000031
【図３０】
2018021449.tif 000032
【図３１】
2018021449.tif 000033
【図３２】
2018021449.tif 000034
【図３３】
2018021449.tif 000035
【図３４】
2018021449.tif 000036
【手続補正書】
【提出日】平成29年10月16日(2017.10.16)
【手続補正１】
【補正対象書類名】明細書
【補正対象項目名】全文
【補正方法】変更
【補正の内容】
【発明の詳細な説明】
【技術分野】
【０００１】
本発明は複層階で自然換気装置を有する建物に関する。
【背景技術】
【０００２】
図２９、図３０、図３１は従来例を示す。図２９に示すように建物Ａの一方の外壁面１の側に開口１ａ，１ｂを有し、一方の外壁面１と建物Ａの反対側の他方の外壁面２は、最上部を除いて開口を備えない壁面で、１階の室Ｒ１、２階の室Ｒ２は他方の外壁面２に沿う吹抜け４に面して開口１ｒａ，１ｒｂしている。吹抜け４の上部には屋根５を備えた換気室６が設けてある。換気室６の一方の外壁面１に近い側の壁には開口６ｉが設けられ、他方の外壁面２の上方には、開口６ｉと同じ高さに開口６ｏが設けられている。開口６ｉ，６ｏは突出し障子７ｉ，７ｏを有する。
図３０に示す建物Ａは、開口６ｉ，６ｏに逆止弁７ａ，７ｂを備える点を除き、図２９に示す建物Ａと同様である。
逆止弁７ａは風力が小さいときは開いているが、風速が例えば１ｍ/ｓ程度以上になると開口６ｉを閉じるようになっている。
【０００３】
図３０のような構成の建物では、風速が１ｍ/ｓ程度以上になると図３０に示すように逆止弁７ａは閉じる。そこで風ｗは、矢印イ，ロのような空気流となって開口１ａ，１ｂから室Ｒ１，Ｒ２を通じて吹抜け４に吹き抜け、矢印ハ，ニのように吹抜け４中を上昇する空気流は、換気室６に入り矢印ホのように開口６ｏに向かい開口６ｏから矢印ヘのように外部に排出される。
【先行技術文献】
【特許文献】
【０００４】
【特許文献１】特開２０００−２１３１８４号公報
【特許文献２】特開２００３−０８３５７５号公報
【特許文献３】特開２００９−１３３５２６号公報
【非特許文献】
【０００５】
なし
【発明の概要】
【発明が解決しようとする課題】
【０００６】
図２９に示す建物において、換気室６へ風上側の開口６ｉから流入する空気流トは、換気室６を横行して風下側の開口６ｏから排気されてしまう（ショートサーキット）。そして、風上側の開口６ｉから流入した風はその速度が換気室６で減速し、流入空気の速度エネルギーの一部は換気室６で圧力エネルギーに変換される。これにより吹抜け４を上昇して来た空気を主として吹抜け４の上部では逆流チが発生する。風ｗによる開口１ａ，１ｂから吹き込む矢印イの空気流は室Ｒ１，Ｒ２で右行するが流速が小さいので、１階の室Ｒ１に流入した空気は暖められて開口１ｒａを出た後は上昇流となり、矢印リ，ヌとなって２階の室Ｒ２を矢印ルのように一方の外壁面１側の開口１ｂに向かい開口１ｂから排気される。この結果１階の室Ｒ１は新鮮な空気になるが、２階の室Ｒ２の空気は１階の新鮮でなくなった空気である。
【０００７】
特許文献１，３に示される発明では、一方の外壁面側に換気口を備え、他方の外壁面には窓がないか開口が少ない。このような場合の換気を計る提案である。特許文献１に係る発明ではエコロジカルシャフトと称するダクトを備えている。特許文献３に係る発明では換気塔を備えている。即ち、特許文献１，３に係る発明は背部（他方の外壁面）側に充分換気できる開口を有しない建物において、いわゆる煙突効果による自然換気を行うものであり、換気能力としてはすぐれる。
特許文献２では給気は住宅内部の対向する側部に夫々逆流防止ダンパーを備え、天井に開口し煙突効果の生ずる排気ダクトを立設している。
【０００８】
上記のように図２９に示す自然換気装置を有する建物では、風上側と風下側に逆止弁付の給気開口、排気開口を設けたとしても、図２９に示すように室内の換気が有効に行われない。
上述したように図２９、図３０に示す建物において、風下側の外壁面側に排気用の開口が設けられない場合は、建物の換気を如何にすべきかという課題がある。
即ち、周辺の建物の状態、地形、施設等により窓が設けられない場合がある。
【０００９】
図３１は従来例を示す。この建物Ａは図３０に示す建物Ａにおいて、２階建を３階建とし、換気室６の風下側の開口６ｏをなくしたものである。風上に対向する開口６ｉに設けた逆止弁７ａは例えば１ｍ/ｓ程度の風ｗの風速で閉じる。開口１ａから１階の室Ｒ１に流入した空気は、イの矢印のように進んで暖められて上昇流の矢印リ、ヌとなって３階の室Ｒ３を矢印ルのように一方の外壁面１側の開口１ｃに向い開口１ｃから排気される。この結果１階の室Ｒ１は新鮮な空気になるが、３階の室Ｒ３の空気は１階の新鮮でなくなった空気である。
特許文献１，３のように排気ダクトを設けるのは１つの解決手段であるが、高い排気ダクトを設けるのは除外される場合は少しとしない。
【００１０】
換気通路として例えば一方の外壁面側の各階に開口を有し、他方の外壁面が開口を備えない壁面で、他方の外壁面内に各階に開放された吹き抜けを有し、吹き抜け上部に屋根を有する換気室を備えた自然換気装置を有する建物において、各階の換気が有効に行われる自然換気装置を有する建物を提供することを目的とする。
【課題を解決するための手段】
【００１１】
本願各発明は何れも、開口を有する一方の外壁面と、一方の外壁面に対して反対側で通気できる開口を有しない他方の外壁面と、建物の最上部に設けられ一方の外壁面に設けた開口と同方向に向けて開口した排気用の開口と、を有し、一方の外壁面に設けた開口から排気用の開口まで内部に換気通路となる空間を有する多層階の自然換気装置を有する建物に関する。
【００１２】
また、本願各発明は、一方の外壁面に開口を有する室を備え、一方の外壁面に開口を有する室のこの開口とは反対側の建物内の開口であって、排気用の開口に連通している建物内の開口に開閉部材を有し、一方の外壁面側の開口には、前記開閉部材の開時に建物全体の換気を行なうと共に前記開閉部材の閉時に室の換気を行なう、給気又は給排気を行う装置を有する、自然換気装置を有する建物である。
【００１３】
請求項２に係る発明にあっては、一方の外壁面側の開口には、上面に風力の大小によって室内への外気の流入を抑制し又は室内空気を排出する換気用逆流防止ルーバと、下面に給気を行なう給気ルーバと、換気用逆流防止ルーバと給気ルーバ間の空間を建物外部に対して閉塞する防風部材と、を有する。
【００１４】
さらに請求項３に係る発明にあっては、防風部材内で換気用逆流防止ルーバと給気ルーバ間を上下に仕切り、一方の外壁面側の開口を越えて室内にのびる、導風部材を有する。
【００１５】
請求項４に係る発明にあっては、一方の外壁面側の開口は室の天井側と床側に離れて夫々設けられ、天井側の開口には、外気の風力により作動して風力の大きいときに閉じる換気用逆流防止ルーバと、建物の全体換気を行うときは閉じ、室の個別換気を行なうときは開く上ダンパとを重ねて設けられ、床側の開口には、外気が流入するときは開き、室内の空気が外部に流出しようとするときは閉じる給気用逆流防止ルーバと、上ダンパと併せて全体換気、個別換気を共に行なわないときに閉じる下ダンパとを有する。
【００１６】
請求項５に係る発明にあっては、一方の外壁面の開口を上下に仕切って上開口下開口を構成する仕切材と、下開口に設けられ外気を給気できるが室内空気の建物外部への流出を抑制する給気用逆流防止ルーバと、上開口の外部側に設けられ上面が開口して空間を介して上開口と連通する防風部材と、防風部材の上面の開口に設けられ室の空気を建物外へ排出するが外気の風力が大となると閉じるように作用する個別換気用逆流防止ルーバと、仕切材に枢着されて上開口を閉じた位置と内開きしてほぼ水平方向の位置をとり、水平方向の位置において導風作用をするダンパとを有する。
さらに請求項６に係る発明にあっては、給気用逆流防止ルーバは一方の外壁面と平行に立設されている。
【００１７】
請求項７に係る発明にあっては、給気又は排気を行う装置は、一方の外壁面に対して平行な前板と、一方の外壁面に対して垂直な側板と、夫々一方の外壁面に対して垂直な方向で水平方向に平らな下側の給気用逆流防止ルーバと、及び上側の換気用逆流防止ルーバと、を有して組立状態において中空六立方体状を構成し、側板、給気用逆流防止ルーバ、換気用逆流防止ルーバは夫々一方の外壁面に設けた開口の縁に一方の外壁面に平行な位置と垂直な位置をとるように夫々枢着され、前板は一方の外壁面に沿う位置と一方の外壁面側から離れて一方の外壁面に平行な位置をとるように一方の外壁面に平行運動装置でもって結合されている。
さらに、換気用逆流防止ルーバに代えて板材とすることもできるし、給気用逆流防止ルーバに変えて板材とすることもできる。
【発明の効果】
【００１８】
本願発明によれば、建物全体の自然換気と、室の個別換気を選択的に行うことができる。
請求項２に係る発明によれば、風力が大きくなった場合に室に風が吹き込むのを抑制でき、室の個別の自然換気ができる。
請求項３に係る発明によれば、室への空気の流入出を確実に行うことができる。
【００１９】
請求項４に係る発明によれば、床側の開口と天井側の開口が上下に離れているので、個別換気の効率がよい。そして上ダンパを閉めるだけで全体換気に切り替えができる。そして上下ダンパを閉めることにより建物を閉塞でき嵐などの外乱に対応できる。
【００２０】
請求項５に係る発明によれば、個別換気の際に給気用逆流防止ルーバから室に進入する空気が水平方向のダンパにより直接上開口に向わないので室の換気効果を向上する。ダンパで上開口を閉じるだけで建物の全体換気を行える。
請求項６に係る発明によれば、防風部材の高さを小さくでき、且つ、給気の機能は維持される。
請求項７に係る発明によれば、個別の換気は必要のない際に収納できる。
【図面の簡単な説明】
【００２１】
【図１】参考例１の建物の縦断面図である。
【図２】排気用逆流防止ルーバの縦断面図である。
【図３】排気用逆流防止ルーバの縦断面図である。
【図４】排気用逆流防止ルーバの縦断面図である。
【図５】参考例２の建物の縦断面図である。
【図６】給排気ボックスの縦断面図である。
【図７】給排気ボックスの斜視図である。
【図８】給排気ボックスと日照の関係図である。
【図９】給排気ボックスの給排気関係図表である。
【図１０】（イ１）（イ２）（イ３）（ロ１）は夫々が給排気ボックスの作用を示す縦断面図である。
【図１１】給排気ボックスの縦断面図である。
【図１２】給排気ボックスを設けた室の個別換気を示す縦断面図である。
【図１３】（ａ）（ｂ）（ｃ）は夫々が実施例２の縦断面図である。
【図１４】実施例３の建物の縦断面図である。
【図１５】実施例３の給排気装置の縦断面図である。
【図１６】実施例３の給排気装置の縦断面図である。
【図１７】給気用逆流防止ルーバの縦断面図である。
【図１８】給気用逆流防止ルーバの縦断面図である。
【図１９】給気用逆流防止ルーバの縦断面図である。
【図２０】参考例３の防風板と排気用逆流防止ルーバの縦断面図である。
【図２１】参考例３の防風板と記排気用逆流防止ルーバの水平断面図である。
【図２２】建物の風上に対向する側の斜視図である。
【図２３】実施例４の収納可能な給排気ボックスの側面図である。
【図２４】実施例４の収納可能な給排気ボックスの水平断面図である。
【図２５】実施例５の給排気ボックス等の既存枠への取付を示す断面図である。
【図２６】防風板の作用を示す縦断面である。
【図２７】給気ボックスの作用を示す縦断面図である。
【図２８】給気ボックスの作用を示す縦断面図である。
【図２９】従来例を示す縦断面図である。
【図３０】従来例を示す縦断面図である。
【図３１】従来例を示す縦断面図である。
【図３２】（ロ２）（ロ３）（ハ）（ニ１）は夫々が給排気ボックスの作用を示す縦断面図である。
【図３３】（ニ２）（ホ１）（ホ２）（へ）は夫々が給排気ボックスの作用を示す縦断面図である。
【図３４】（ト）（チ１）（チ２）（リ）は夫々が給排気ボックスの作用を示す縦断面図である。
【実施例】
【００２２】
以下、図面を用いてこの発明の実施例及び参考例について説明する。
（参考例１）
【００２３】
図１は建物Ａの側断面略図である。建物Ａは、多層階で、一方の外壁面１の給気口として設けた開口１ａ，１ｂ，１ｃから最上部の排気口として設けた開口６ｉまで通ずる空間に換気通路が構成される。
【００２４】
建物Ａの正面である一方の外壁面１に、各階の室Ｒ１，Ｒ２，Ｒ３の開口１ａ，１ｂ，１ｃを有する。本例では開口１ａ，１ｂ，１ｃは各室Ｒ１，Ｒ２，Ｒ３の天井近くにある。他方の外壁面２は開口を有しない。ここで開口を有しないというのは、開口があっても建物Ａ全体の換気に殆ど寄与しない場合を含む。また、図の紙面に平行する建物Ａの側壁面にも建物Ａ全体の換気に殆ど寄与しない開口があるか、開口が全くない。他方の外壁面２の内には、各階の室Ｒ１，Ｒ２，Ｒ３に開口１ｒａ，１ｒｂ，１ｒｃで通ずるように開放された吹抜け４を備えている。ここで吹抜けというのは床面ＦＬから換気室６までをいう。吹抜け４は設備空間であってもよい。即ち、階段、エスカレータ等を一部に備えても良い。
【００２５】
吹抜け４の上部に屋根５を備えた換気室６が設けてある。換気室６の一方の風上側の外壁面１に近い側の壁には開口６ｉが設けられている。換気室６の他方の外壁は外壁面２と同一面となっている。
【００２６】
開口６ｉの外部側に空間を構成する防風部材としてボックス状の防風板８と排気用逆流防止ルーバ（以下ルーバ、又は逆流防止ルーバ、もしくは排気ルーバと称することがある）９で取り囲んでいる。逆流防止ルーバ９の上下方向の位置は吹抜け４の上部の屋根５とほぼ同じである。屋根５は換気室６の屋根である。
【００２７】
防風板８は開口６ｉの外側に空間８ａを構成するように設けられ、この空間８ａは本例では方形である。空間８ａの一方は換気室６に開口６ｉで通じている。空間８ａの上部はルーバ９で仕切られている。ルーバ９、開口６ｉを除く防風板８は通気性のない板材となっている。ルーバ９は排気用逆流防止ルーバである。防風板８は採光が必要なときはガラスであるが、アルミニウムでもよい。
【００２８】
図２、図３、図４は逆流防止ルーバ９を模式的に示す側断面図である。逆流防止ルーバ９の羽根９ａは図の紙面に直交する方向に長いストリップ状である。羽根９ａは図の紙面に直交する方向の中心を持つ支持軸９ｂで揺動自在に四方枠９ｃに支持されている。ここで、支持軸９ｂは風向きに対して横設してある。以下の説明に出て来る各種ルーバにおいても支持軸は風向きに対して横設してある。ここで横設とは水平方向を向く場合に限る。支持軸９ｂは羽根９ａの幅方向（図２において見付方向）の中間にある。羽根９ａは自由な状態では支持軸９ｂに対して立つ方向に付勢されている。即ち、ルーバ９が空気流による力を受けない限り自然に開くようになっている。羽根９ａの付勢は支持軸９ｂの両側の羽根の重力に基く一次モーメントのバランス、支持軸９ｂに設けたねじりコイルばね（図示されない）、錘（図示されない）の取り付け等による。羽根９ａは四方枠９ｃに設けたストッパ１１により反時計回り方向への回転を制止されている（図３参照）。
【００２９】
本例では羽根９ａは支持軸９ｂを境に下側部９ａ１と上側部９ａ２に分れている。上側部９ａ２の幅は下側部９ａ１の幅よりも大きい。支持軸９ｂを中心とする重力に基く一次モーメントは、下側部９ａ１が支持軸９ｂより下となるように下側部９ａ１、上側部９ａ２の断面形状が定められている。ここで羽根９ａはアルミニウムである。羽根９ａの断面は平板又は翼形が採用される。
【００３０】
上記構成によれば図３において、左側から右方へ吹く風の風力が一定以上例えば風速１ｍ/ｓ程度以上になれば、羽根９ａは支持軸９ｂを中心にして時計回りに回転し、風力が更に増すと羽根９ａは更に回転して重なり合い、逆流防止ルーバ９は閉じる。風力が小さくなると逆に、羽根９ａは支持軸９ｂを中心にして反時計回りに回転し逆流防止ルーバ９は開く。
【００３１】
図２、図３、図４に示す逆流防止ルーバ９には、羽根の回転制御装置として羽根の開又は閉を強制的に行う開閉装置１２が付設してある。開閉装置１２は夫々の羽根９ａの支持軸９ｂのすぐ上側に図において左右方向に連動する駒１２ａ，１２ａ，１２ａを有する。駒１２ａ間の間隔は支持軸９ｂ間の間隔と同じ間隔である。駒１２ａ，１２ａ，１２ａは四方枠９ｃに図において紙面に平行に移動可能に支持されている。支持軸９ｂは２本、駒１２ａは３個である。駒９ａはストッパ１１と干渉しない位置、例えば羽根９ａの長手方向の互に反対側に配設する。
【００３２】
逆流防止ルーバ９は、図３に示すように左側及び中央の駒１２ａがストッパ１１の左側にあって羽根９ａに作用しない位置では、既にのべたように羽根９ａは風力の消長により開閉する。逆流防止ルーバ９において図３の風力による逆流防止の位置から開閉装置１２を右方向に移動すると、駒１２ａは支持軸９ｂの上方で右方に向って羽根９ａの上側部９ａ２をすべり乍押して、羽根９ａを支持軸９ｂを中心に時計回りに回して逆流防止ルーバ９を閉じる（図４参照）。図４の位置から駒１２ａを左行させると、羽根９ａは支持軸９ｂを中心に反時計回りに回転して羽根９ａは駒１２ａに追従する。駒１２ａがストッパ１１を通過すると、羽根９ａはストッパ１１により回転を制止される。駒１２ａはストッパ１１を越えた図３の位置では、ルーバ９は一定風速以上では閉まり外部から内部への吹き込みを防止する逆流防止作用を行う位置となる。
【００３３】
逆流防止ルーバ９が図３の位置にある状態で開閉装置１２を左行すると、中央の駒１２ａは左側の羽根９ａに達すると共に右側の駒１２ａは右側の羽根９ａに達する。その後羽根９ａの上側部９ａ２の根本近くがストッパ１１に当っているので、羽根９ａは強制的に開放した状態に保たれる。
駒１２ａは通常高所にあるので、リンク装置、巻掛け伝動装置等を介して遠隔操作を行う。又、電動、流体圧駆動等により駒１２ａの位置制御を行っても良い。
【００３４】
図１では建物Ａの一方の外壁面１側に、給気側の逆流防止ルーバ（給気用逆流防止ルーバ）１３と防風部材としてボックス状の防風板１４が各室Ｒ１，Ｒ２，Ｒ３の夫々の給気用の開口１ａ，１ｂ，１ｃの外側に設けてある。夫々の開口１ａ，１ｂ，１ｃのすぐ外側には、防風部材としての防風板１４と給気用逆流防止ルーバ１３とで給気用の六立方形の空間１４ａが形成されている。給気用逆流防止ルーバ１３は室Ｒ１，Ｒ２，Ｒ３の室内の空気が開口１ａ，１ｂ，１ｃを通じて外部側へ逆流するのを防止するものである。防風板１４は採光が必要なときはガラスであるが、アルミニウムでもよい。
【００３５】
図６を借りて給気用逆流防止ルーバ１３（以下ルーバ又は逆流防止ルーバ、もしくは給気ルーバと称することがある）について説明する。参考例１では換気用逆流防止ルーバ１８に代えて板材とされる。図の下側に逆流防止ルーバ１３が示されている。防風板１４の下側の開口には逆流防止ルーバ１３が設けてある。このルーバ１３の羽根１３ａは図の紙面に直交する方向に長くのびている。羽根１３ａはその幅方向（見付方向）の中間で支持軸１５により揺動自在に支持されている。羽根１３ａは支持軸１５を境に下側部１３ａ１と上側部１３ａ２に分れている。上側部１３ａ２の幅は下側部１３ａ１の幅よりも大きい。支持軸１５を中心とする一次モーメントは下側部１３ａ１が上側部１３ａ２よりも大きくなるように下側部１３ａ１、上側部１３ａ２の断面形状、重量が定められている。尚、本例では錘（図示されない）を下部側１３ａ１に取り付けている。
【００３６】
このような羽根の構成は排気側のルーバ９についての先述と同様である。図６には図示されないが、図２、図３、図４に示されるストッパ１１と同様にストッパが設けられていて、羽根１３ａの上側部１３ａ２が上方へ向って時計回りに回転し、羽根１３ａが左斜め上りした位置で、ストッパで支持軸１５を中心とする時計回り方向の回転を止められている。従って、室Ｒ１から開口１ａ，１ｂ，１ｃ、空間１４ａ、ルーバ１３を通じて室内の空気が逆流しようとすると、この空気流により羽根１３ａは支持軸１５を中心として反時計回りに回転してほぼ水平となり、ルーバ１３は閉じるようになっている。図示されないが図２、図３、図４に示す駒１２ａと同様の駒を設けて、ルーバ１３を強制的に開放又は閉鎖するようにしてもよい。
【００３７】
図１において図３のようにルーバ９が逆流防止状態にあるときについて考える。風ｗが吹いているとき建物Ａの屋上１０上では矢印で示す空気流ｗ１が生ずる。
風ｗが建物Ａに向って吹くとき、風ｗは建物Ａの図１において左側の一方の外壁面１に当ると大部分の空気はこの外壁面１に沿って上昇し、屋上１０上まで上昇した空気は建物Ａの屋上１０に沿って右方向に流れる空気流ｗ１となる。
【００３８】
防風板８の前面の板により開口６ｉへ向うべき空気流ｗ１が遮られると、開口６ｉを通じて建物Ａ内に風が吹き込むことなく上昇して、ルーバ９上を風下側へ通過する。防風板８に当って下方へ分流する空気流ｗ１‐１（図２６参照）は渦流となる。
【００３９】
このとき、羽根９ａの上方を空気流ｗ１は越えて右方へ流れる。ルーバ９上において空気流ｗ１の下側のルーバ９に近い側には相対的な負圧が生ずる。この流れにより空気流ｗ１の流速が小さいとき羽根９ａの上側の空間の空気圧は建物Ａの室内空気圧に対して負圧となる。更に、図３において羽根９ａの表側（図３の左側の面）に空気流が当ると羽根９ａの裏側（図３の右側の面）には表側の風圧に対して負圧の空間が生ずる。
【００４０】
空気流ｗ１の風速が一定以上になると空気流ｗ１は直接羽根９ａに吹き付ける。すると羽根９ａの上側部９ａ２に加わる空気流ｗ１により羽根９は支持軸９ｂを中心にして図３において時計回りに回転し、ルーバ９の開度は小さくなる。風速が更に大きくなると、羽根９ａは時計回りに回転して互に重なり、ルーバ９は閉じる。これによって建物Ａ内への強風の吹き込みが防止される。風速が小さくなると上記と逆に羽根９ａは支持軸９ｂを中心にして回転してルーバ９は開く。
【００４１】
強風又は風向きが不安定で風が舞うような状態のときでない限り、防風板８の前面に向って吹く空気流ｗ１がルーバ９上を風下側へ流れるとき、ルーバ９のすぐ上側及び羽根９ａの裏側の空間には負圧が生ずる。
【００４２】
建物Ａ内の空気圧が換気室６で上記負圧よりも低くならない限り、換気室６内の空気は開口６ｉ、空間８ａ、逆流防止ルーバ９を通じて建物外へ排出され矢印の空気流ｗ２のように排出される。
【００４３】
一方、風ｗが建物Ａの前面（図１において左方の風に面する外壁面１）に吹き付ける。各室Ｒ１，Ｒ２，Ｒ３には給気用の開口１ａ，１ｂ，１ｃが設けられているが、風ｗは防風板１４があるので開口１ａ，１ｂ，１ｃを通じて室Ｒ１，Ｒ２，Ｒ３に直接吹き込むことがない。風ｗによる防風板１４回りの空気は開いているルーバ１３を通じ（図２８参照）空間１４ａに入り給気開口１ａ，１ｂ，１ｃから各室Ｒ１，Ｒ２，Ｒ３に流入する（矢印で示す空気流ｗ３）。各室Ｒ１，Ｒ２，Ｒ３では図１において左から右方に空気が流れ、この空気は各室Ｒ１，Ｒ２，Ｒ３と吹抜け４間の開口１ｒａ，１ｒｂ，１ｒｃを通して吹抜け４に入り、上昇空気流ｗ４，ｗ５となり、換気室６に入り空気流ｗ６のように開口６ｉ、空間８ａ、逆流防止ルーバ９を通じて排出される。これは空気流ｗ２となる。
【００４４】
上記において、各室Ｒ１，Ｒ２，Ｒ３及び吹抜け４、換気室６における空気は風ｗがルーバ１３を介して建物Ａ内に入り、建物Ａ内では正圧である。従って建物Ａ内へ換気室６の開口６ｉを通じて空気が吹き込むことがない。
【００４５】
既にのべたように強風又は風が舞って風向きが変動した場合、ルーバ９上の空気流ｗ１の大きさ、向きによってはルーバ９を通じて外気が建物Ａ内へ吹き込もうとする。そうなると、図３に示す羽根９ａはその風圧により、支持軸９ｂを中心に回転してルーバ９は閉じる。これによって、建物の排気側からの外気の流入は防止される。
【００４６】
強風等でルーバ９が閉じている状態で、仮に１階の室Ｒ１から吹き込んだ空気が、室Ｒ１において昇温した空気を吹抜け４に押し出して吹抜け４を上昇して上階の室Ｒ３を図１において左方に流れようとしても、室Ｒ３の給気側のルーバ１３は閉じる（図２７参照）ので、下階側で生じた汚れた空気が室Ｒ３に開口１ｒｃ側から流入するのが抑制される。
【００４７】
強風となった後において風速が下がってくると、その前に給気側のルーバ１３は開いており外気が建物Ａ内に入ると建物Ａ内の空気圧は上昇して行く。排気側のルーバ９の内外の空気圧は等しくなるので、やがてルーバ９は図３に示すようにその羽根９ａは支持軸９ｂを中心に反時計回りに回転して開くことになる。
【００４８】
排気側のルーバ９が閉ったときに、地上から建物Ａ上方まで一様に風ｗの風速が急に小さくなるような消長のときには、ルーバ９が開いて排気が始まるが建物Ａ内の空気圧は建物Ａの空間の容量から急には下らないので、建物Ａ内の空気圧は建物Ａの一方の外壁面１の外側の風圧よりも大きくなる。そのときには、吹抜け４側から開口１ｒａ，１ｒｂ，１ｒｃ、室Ｒ１，Ｒ２，Ｒ３を通じて夫々の開口１ａ，１ｂ，１ｃに向う空気の流れが生ずる。このとき、逆流防止ルーバ１３の羽根１３ａは支持軸１５を中心にして図６において反時計回りに回転して閉じる。これによって、吹抜け４中の汚れた空気が室Ｒ１，Ｒ２，Ｒ３に流入するのが抑制される。
以上のとおり、風速が小さいときは自然換気が行われる。また、室において逆流が生じる条件下で逆流を防止できる。強風時に排気口から外気が逆流しない。
（参考例２）
【００４９】
参考例１において建物の換気装置として給気側を単純な開口としたものである。図５は参考例２の建物の縦断面図である。図５について図１と異なる構成作用について説明する。
【００５０】
建物Ａの一方の外壁面１側の開口１ａ，１ｂ，１ｃは、図１に示す建物Ａの一方の外壁面１側の開口と同様に、室Ｒ１，Ｒ２，Ｒ３の天井側に夫々備わる。開口１ａ，１ｂ，１ｃの上側は庇１ｄで蔽われている。庇１ｄは突き出し障子でもよい。
開口１ａ，１ｂ，１ｃには、室内空気を外部に向って流出するのを防止する給気用逆流防止ルーバは備えていない。
【００５１】
この参考例では、風ｗが低速度の通常の風速である場合は、排気側の逆流防止ルーバ９は開いているので参考例１と同様に換気される。即ち、従来例のように上階の室Ｒ３で空気流の逆流が生ずることがない。
【００５２】
このように換気室６において他方の外壁面２に換気用の開口がなくても、参考例１と同様に排気側の開口６ｉに防風板８とルーバ９を設けることは換気の条件を有効とするのに寄与できる。
【００５３】
ただし、強風時には矢印ｗ７のように室Ｒ１を左方へ流れる空気流ｗ７は開口１ｒａを通じて吹抜け４に出ると、矢印ｗ８，ｗ９のように上昇流となる。ルーバ９は閉っているので上階の室Ｒ３の開口１ｒｃから室Ｒ３に入った空気流ｗ１０は開口１ｃを通じて排出される。この参考例は風ｗの風速が小さい場合に建物Ａ全体の換気に有効である。ルーバ９の閉止が続くと熱だまりＨができるが、吹抜け４の上部にとどまり下部に降りて来ない。よって、風ｗの風速が小さくなりルーバ９が開けば、熱だまりＨは排気される。
なお、図３１の従来例に比べると、ルーバ９によって熱だまりＨができにくい。
（実施例１）
【００５４】
各実施例及び参考例において夫々の室Ｒ２，Ｒ３と吹抜け４との間の開口１ｒｂ，１ｒｃのすぐ外側は、図１に示す廊下１６が設けられている。１階の室Ｒ１の床と吹抜け４の床面ＦＬとは開口１ｒａの両側を通じて連続している。これらの開口１ｒａ，１ｒｂ，１ｒｃには通常、開閉部材として開閉可能な扉が設けられる。また、開閉部材としては扉と併せて開閉可能な窓が設けられる。
【００５５】
このような構成の場合に開口１ｒａ，１ｒｂ，１ｒｃが閉じられると、閉じられた室は吹抜け４を通じて排気用のルーバ９から排気ができなくなるので換気されない。このような状態の室Ｒ１，Ｒ２，Ｒ３の個別換気が可能な手段について説明する。
【００５６】
建物Ａの全体構成は図１又は図５と同様である。各室Ｒ１，Ｒ２，Ｒ３の開口１ａ，１ｂ，１ｃの外側には、図６、図７に全体を符号１７で示す給排気ボックスを備える。図６は側断面図、図７は斜視図である。
【００５７】
上側のルーバ１８は図１に関して説明したルーバ９と同様の構成である。防風部材として設けたボックス状の防風板１４の前板１４ｂは、建物Ａの正面である一方の外壁面１と平行な板材である。防風板１４の前板１４ｂの板材の両端部夫々とは直角に板材の側板１４ｃが設けられている。この給排気ボックス１７は、正面が前板１４ｂ、背面が開口１ａ，１ｂ，１ｃ、下面が給気用逆流防止ルーバ１３、上面が換気用逆流防止ルーバ１８、側板１４ｃで中空六立方体形状である。
【００５８】
参考例１でのべたように給気用逆流防止ルーバ１３は、逆流防止状態で外気は取り入れるが室内の空気の排出を抑制する。換気用逆流防止ルーバ１８は、逆流防止状態で室内の空気は排出するが風速の増大に際して室内への外気の吹き込みを防止する。そして、夫々の給気用逆流防止ルーバ１３、換気用逆流ルーバ１８は駒１２ａ（図６、図７では図略）により、夫々風力の大きさにより自在に開閉し及び強制的に全開し全閉できる。
このような給排気ボックス１７は各室Ｒ１，Ｒ２，Ｒ３の天井近くの各開口１ａ,１ｂ,１ｃの夫々の外部側に夫々設けられる。
（各室Ｒ１，Ｒ２，Ｒ３の吹抜け４に面する開口１ｒａ，１ｒｂ，１ｒｃが閉じられた場合（図３４（チ２）の場合を除く）の給排気ボックス１７の作用）
【００５９】
図９は給排気ボックス１７の換気用逆流防止ルーバ（換気ルーバ１８と略記）１８の状態を上から下へ強制開放（開と略記）、逆流防止（定と略記）、強制閉鎖（閉と略記）を左欄の見出しとして１列目に３つの状態を記載してある。そして同ボックス１７の給気用逆流防止ルーバ（給気ルーバ１３と略記）１３の状態を左から右へ強制開放（開と略記）、逆風防止（定と略記）、強制閉鎖（閉と略記）を上欄の見出しとして１行目に３つの状態を記載してある。
【００６０】
給気ルーバ１３と換気ルーバ１８の組み合わせは、図９にイからリに示すように９個となる。図１０、図３２、図３３、図３４は上記イからリに示す各場合を図番とし図１０、図３２、図３３、図３４にイからリを附記して夫々の給排気ボックス１７の状態を示す。夫々のルーバの状態において、風ｗの風速が小さい場合、風速が大きい場合について説明する。
【００６１】
図１０（イ１）に示すように、給気ルーバ１３、換気ルーバ１８が共に強制開放されている図９のイの場合について説明する。風ｗの風速が小さいときは給気ルーバ１３を通った外気は、矢印ａに示すように開口１ａ（建物１階についてのべるが高階も同様、以下同じ）の下側を通じて室Ｒ１に入る。室Ｒ１では給気は室Ｒ１の奥へ向う。事務機器、照明、人体等の熱源で昇温した空気は室Ｒ１の奥側まで順次天井下に上昇して室Ｒ１の奥側で反転して開口１ａに向う。そして矢印ｂで示すように開口１ａの上側の換気ルーバ１８を通じて外部に排出される。なお、給気ルーバ１３から給排気ボックス１７の空間１４ａ中を上昇して換気ルーバ１８を通じて一部の空気が外部へ流動する（図示していない）。
【００６２】
図９のイの場合において風wの風速が大きいときに風ｗは給排気ボックス１７の防風板１４に遮られて開口１ａに直接吹き込まない。給排気ボックス１７の風ｗの開口１ａへの直接の吹き込まない機能は、給気ルーバ１３，換気ルーバ１８の態様のすべてで共通している。従って、以下この説明は省略する。風ｗの風力の消長に応じて風速が大となると図１０（イ２）に示すように、給気ルーバ１３、換気ルーバ１８から室Ｒ１へ吹き込む空気流ｃ，ｄが生ずる。室Ｒ１内の空気圧は吹き込む空気流ｃ，ｄで加圧されて上昇する。加圧された室内空気は風ｗの風速が小さくなると、図１０（イ３）に示すように室Ｒ１内から給気ルーバ１３、換気ルーバ１８を通じて矢印ｅ，ｆで示す空気流のように外部へ流出する。その後室Ｒ１の空気圧が低下した後は図１０（イ１）の状態に戻る。
【００６３】
図１０（ロ１）に示すように給気ルーバ１３が逆流防止状態の定、換気ルーバ１８が開の図９のロの場合では風ｗの風速が小さいときには、給気ルーバ１３開、換気ルーバ１８開を示す図１０（イ１）と同様の空気流ａ，ｂとなる。図９のロの場合において風ｗの風速が大きいときはその消長に応じて風速が増大する際、図３２（ロ２）に示すように給気ルーバ１３、換気ルーバ１８から室Ｒ１へ吹き込む空気流ｃ，ｄが生ずる。室Ｒ１内の空気圧は吹き込み流ｃ，ｄで加圧されて上昇する。風ｗの風速が小さくなると、図３２（ロ３）に示すように室Ｒ１内から給気ルーバ１３、換気ルーバ１８を通じて矢印ｇ，ｈで示す空気流のように外部へ流出する。このとき給気ルーバ１３は通過する空気流で開度が小さくなる方向になるので、ルーバ１３よりも換気ルーバ１８からより多くの室内の空気が排出される。その後室Ｒ１内の空気圧が低下した後は図１０（ロ１）の状態に戻る。
【００６４】
風速の消長する強風時において、図３２（ロ２）、図３２（ロ３）示す室Ｒ１への空気の流出入は一方の外壁面１側の開口１ａ近くの室内側に及ぶだけで、室Ｒ１の閉じられている奥側開口１ｒａまでは室内空気の空気圧がわずかに変動するのみである。
図３２（ハ）に示すように、給気ルーバ１３が強制閉鎖され換気ルーバ１８が強制開放されている図９のハの場合についてのべる。
【００６５】
風ｗの風速にかかわらず、給気ルーバ１３を通じての外気の給排気ボックス１７への流出入は行われない。風ｗの風速が小さいときは換気ルーバ１８からの室Ｒ１の給排気は殆ど行われない。風wの風速が大きくなって行く過程では、換気ルーバ１８から流入しようとする空気は羽根１８ａで空間１４ａの前板１４ｂ側へ導かれるので開口１ａ付近で留まり、風速が小さくなって行く過程で、開口１ａ付近の上記空気は換気ルーバ１８を通じて戻る方向に移動する。従って有効な換気効果は期待できない。室Ｒ１内の空気圧が変動するのみである。
【００６６】
図３２（ニ１）ニ示すように給気ルーバ１３が強制開放され、換気ルーバ１８が逆流防止状態（図９の定）にある図９のニの場合についてのべる。風ｗの風速が小さいときは換気ルーバ１８は開いたままである。強制開放されている給気ルーバ１３を通って外気は矢印ａに示すように開口１ａの下側を通じて室Ｒ１に入る。室Ｒ１では事務機器、照明、人体等の熱源で昇温した空気は室Ｒ１の奥側で天井下に上昇して開口１ａに向う。そして矢印ｂで示すように開口１ａの上側、換気ルーバ１８を通じて外部に排出される。なお、給気ルーバ１３から給排出ボックス１７の空間１４ａ中を上昇して換気ルーバ１８を通じて一部の空気が外部へ流動する（図示していない）。上述のように図３２（ニ１）の空気流の態様は、風ｗの風速が小さいときの給気ルーバ１３及び換気ルーバ１８を強制開放した図９に示すイの場合（図１０（イ１））、及び給気ルーバ１３を逆流防止状態の定とし換気ルーバ１８を強制開放した図９に示すロの場合（図１０（ロ１））と同様である。
【００６７】
図３３（ニ２）は給気ルーバ１３が強制開放され、換気ルーバ１８が逆流防止状態（図９の定）にある図９のニの場合に、風ｗの風速が大きくなったときを示す。
【００６８】
風ｗの風速が増大すると換気ルーバ１８の外側の空気流により換気ルーバ１８は閉まる。給気ルーバ１３からは外気が矢印ｉに示すように給排気ボックス１７の空間１４ａに入る。ここで換気ルーバ１８の内外に空気圧が加わるが、換気ルーバ１８の外部側に生ずる正圧は内部側に生ずる正圧よりも大きいから換気ルーバ１８は閉じている。一方給気ルーバ１３を通じて給排気ボックス１７に流入する矢印ｉの空気流は、給気ルーバ１３を通過する際にその有するエネルギーは消耗する。矢印ｉの空気流は給排気ボックス１７中で拡散し、換気ルーバ１８に吹き付ける矢印ｉの空気流の一部は正圧に変り換気ルーバ１８を開く方向に換気ルーバ１８に作用するが、換気ルーバ１８の外部側に加わる空気流による正圧が換気ルーバ１８の内部側に加わる矢印ｉの空気流に基く正圧よりも大きいので、換気ルーバ１８は閉じた状態を保つ。このように換気ルーバ１８が閉じ、給気ルーバ１３が開いている状態では室Ｒ１の換気は殆ど行われない。この場合、風ｗの風速が増大する過程で換気ルーバ１８は閉じるので強風が室内Ｒ１へ吹き込むことがない。また、給気ルーバ１３を通じて室内へ吹き込む強風も羽根１３ａの向きにより減衰される。室Ｒ１内の空気圧はわずかに上昇する。このような現象は限定的である。
【００６９】
図３３（ホ１）に示すように給気ルーバ１３、換気ルーバ１８が逆流防止状態（図９の定）にある場合についてのべる。風ｗの風速が小さい場合は給気ルーバ１３、換気ルーバ１８は開いた状態を保つ。従って、このときは例えば図９に示すイの場合、即ち、給気ルーバ１３、換気ルーバ１８が共に強制開放されていることを示す図１０（イ１）と同じ矢印ａ，ｂの流れで換気される。
【００７０】
図３３（ホ１）において、風ｗの風速が増すと図３３（ホ２）に示すように既にのべたように、空気の流れは給気ルーバ１３が強制開放で換気ルーバ１８が閉った状態の図３３（ニ２）と同じ状態となる。矢印ｉで示す空気の流れは図３３（ホ２）のように示される。図３３（ホ２）の説明は図３３（ニ２）の説明を援用する。
【００７１】
図３３（ヘ）に示すように、給気ルーバ１３が強制閉鎖され換気ルーバ１８が逆流防止状態の図９の定の場合について説明する。風ｗの風速にかかわらず給気ルーバ１３を通じての外気の給排気ボックス１７への流出入は行われない。風ｗの風速が小さいときは換気ルーバ１８からの室Ｒ１の給排気は殆ど行われない。風ｗの風速が大きくなって行く過程では換気ルーバ１８は開度が小さくなり、風速が一定風速を越えると閉る。風ｗの風速が小さくなって行くと換気ルーバ１８は開き開度を増大して行く。従って室Ｒ１への外気の流出入は認められない。
図３３（ヘ）の状態の給排気ボックス１７は、建物Ａの全体換気の排気に使用される防風板８と排気用逆流防止ルーバ９に代用可能である。
【００７２】
図３４（ト）に示すように、給気ルーバ１３が強制開放され、換気ルーバ１８が強制閉鎖された図９のトの場合について説明する。風速が小さいと換気ルーバ１８が閉っているので、給気ルーバ１３を通ずる室内外の空気流は出入り共に小さく、風ｗの風速の消長で室Ｒ１の空気圧がわずかに変化するだけである。強風時は図３３（ホ２）、（ニ２）と同じ状態になる。 
【００７３】
図３４（チ１）に示すように、給気ルーバ１３が逆流防止状態（図９において定）に、換気ルーバ１８が強制閉鎖（図９のチ）の場合について説明する。この場合、参考例１と同様である。風ｗの風速が小さいと、換気ルーバ１８が閉っているので、換気ルーバ１８を通ずる室内外の空気流はない。従って、室Ｒ１に給気ルーバ１３、給排気ボックス１７の空間１４ａを通じて流入出する空気は量も小さく運動エネルギーは小さいので給気ルーバ１３は動作しない。風ｗの風速が大きいと給気ルーバ１３を通じて空間１４ａ、室Ｒ１に吹き込もうとする矢印ｉの空気流により室Ｒ１内の空気圧は上昇する。室Ｒ１の空気圧が上昇している状態で風ｗの風速が下降すると、給気ルーバ１３の内外の空気圧の差があるので給気ルーバ１３を通じて内部側から外部側へ流れ空気により給気ルーバ１３は開度が小さくなる。従って、室Ｒ１内の空気圧の変動が小さくなる。なお、この場合は開口１ｒａを開くと建物Ａの全体換気を行える。図３４（チ１）において換気ルーバ１８を板材に代えると参考例１の防風板１４と給気ルーバ１３となる。
【００７４】
図３４（チ２）に示すように、開口１ｒａ，１ｒｂ，１ｒｃが開いているときには高階の室Ｒ３において開口１ｒｃ、室Ｒ３、開口１ｃ、給排気ボックス１７の空間１４ａ、給気ルーバ１３をとおって逆流しようとする空気流によって給気ルーバ１３は閉じる。
【００７５】
図３４（リ）に示すように給気ルーバ１３、換気ルーバ１８が共に強制閉鎖されている図９のリの場合は、室Ｒ１の個別換気は行われない。このリの場合は風ｗが著しく風速大であるとか、終業時に対応している。
上記図１０、図３２、図３３、図３４についての説明は主として室Ｒ１について説明したが、室Ｒ２，Ｒ３について夫々同様である。
（建物最上部に防風板と排気用逆流防止ルーバを備えると共に各室の給気側の開口に給排気ボックスを備えた場合の建物の全体換気）
【００７６】
上述のような個別換気（図３４（チ２）を除く）に対して各室Ｒ１，Ｒ２，Ｒ３と吹き抜け４間の開口１ｒａ，１ｒｂ，１ｒｃが夫々開放している場合において各階Ｒ１，Ｒ２，Ｒ３の給気側の開口１ａ，１ｂ，１ｃに給排気ボックス１７を備えた場合の建物Ａ全体の換気についてのべる。
【００７７】
図１では建物Ａの前面の各室Ｒ１，Ｒ２，Ｒ３に通ずる開口１ａ，１ｂ，１ｃは、防風板１４と給気ルーバ１３で蔽われている。この防風板１４と給気ルーバ１３とを併せた給気構成に代えて給排気ボックス１７を設ける。
【００７８】
図６，図７に示す給気ルーバ１３が逆流防止状態にあるとすると、室Ｒ３において給排気ボックス１７に関して通常給気され給気方向と反対方向に逆流する場合の逆流を防止できる。且つ逆流が止むと給気状態に戻ることができるのは、既にのべたように図９で給気ルーバ１３が（定）、換気ルーバ１８が閉の（チ）の場合である。
【００７９】
建物Ａにおいて建物Ａの最高所にある排気ルーバ９が図３に示す逆流防止状態で開放されている際に風ｗに基く強風のために閉まると、給気側の給気ルーバ１３をとおり室Ｒ１，Ｒ２を介して吹抜け４へ流れる空気流は、吹抜け４における空気圧を上昇させる。吹抜け４からは開口１ｒｃを通じて室Ｒ３中へ空気が流動するので、この空気流は図３４（チ２）に示すように給気ルーバ１３を閉じる。従って、１，２階の室Ｒ１，Ｒ２，Ｒ３で生じた汚れた空気が３階の室Ｒ３に流入し続けることは阻止される。
給排気ボックス１７において室への空気流の流入出を確実とするための構成を図１１、図１２に示す。
【００８０】
給排気ボックス１７の構成は上述した処と変らない。給排気ボックス内の空間は上空間１４ａ１、下空間１４ａ２に空間を上下に分ける隔離部材並びに空気流を導く導風部材として設けた上下分断ボード２１で上下に分けられている。
【００８１】
上下分断ボード２１は水平な平板状で、上空間１４ａ１と下空間１４ａ２は給排気ボックス１７内では連通していない。上下分断ボード２１は室Ｒ１，Ｒ２，Ｒ３内へ延出されている。その延出する長さは、室Ｒ１，Ｒ２，Ｒ３の開口１ａ，１ｂ，１ｃより室内側へ限定的である。本例では、上下分断ボード２１の開口１ａ，１ｂ，１ｃから室Ｒ１，Ｒ２，Ｒ３内への延出の長さは給排気ボックス１７の前板１４ｂから開口１ａ，１ｂ，１ｃを若干超えた位置までとされている。
【００８２】
図１２は室Ｒ１における空気流を示す。空気流は矢印ａ→ｍ→ｎ→ｏ→ｂと流れる。このとき上下分断ボード２１があるため、室Ｒ１の奥側へ向う流れと、天井側を換気ルーバ１８に向う流れを確実にする作用がある。
【００８３】
給排気ボックスの構成によれば、このボックスは建物の排気用防風板と排気用逆流防止ルーバ、防風板と給気用逆流防止ルーバによる窓の個別換気、建物の開口の一部開、全体開、全体閉をとることができる。尚ここで、防風板１４をアルミニウム製パネル構成と換気用逆流防止ルーバ１８の羽根１８ａをアルミ形成とすると図８に示すように給排気ボックス１７は日照ＳＬを遮るのでらんまから室内への直射を防止できる。
（実施例２）
【００８４】
この実施例は各室の外壁側に設ける給排気部材の構成に係る。図１３は室Ｒ１の建物Ａとしては給気側の開口の構成を示す。室Ｒ２,Ｒ３についても同様である。なお、建物Ａの外壁は、ダブルスキンカーテンウォールで構成されている。
【００８５】
室Ｒ１の外壁面１側の床Ｒ１ｆと天井Ｒ１ｃ間の開口は上下両端側を除いて全体としては平板状の隔離部材２２で閉塞されている。隔離部材２２は例えば嵌め殺しの障子である。隔離部材２２の上部には天井Ｒ１ｃとの間又は天井Ｒ１ｃ下近くまでに排気用の開口２２ａが設けられている。隔離部材２２の下部には、床Ｒ１ｆとの間又は床Ｒ１ｆ上近くまでに給気用の開口２２ｂが設けられている。
【００８６】
開口２２ａの外部側の面（外壁面１とほぼ同一の面）には、外気が上の開口２２ａを通じて室Ｒ１内へ流入するのを外気の空気流によって閉じ、外気よりも室Ｒ１内の空気圧が大きいときは室Ｒ１から開口２２ａを通ずる空気流を阻止しない、換気用逆流防止ルーバ２３が設けられている。下の開口２２ｂの外部側の面（外壁面１とほぼ同一の面）には、外気が開口２２ｂを通じて室Ｒ１内へ流入するのを阻止しないが室Ｒ１の空気が開口２２ｂを通じて外部へ流出するのを抑制する、給気用逆流防止ルーバ２４が設けられている。開口２２ａ,２２ｂの夫々の室Ｒ１内側には、排気側ダンパ（以下、上ダンパともいう）２５、給気側ダンパ（以下、下ダンパともいう）２６が設けてある。各ダンパ２５,２６は夫々開口２２ａ,２２ｂを開又は閉とする。ダンパ２５,２６の構成はヒンジ２５ａ,２６ａで開口２２ａ,２２ｂの夫々の縁に枢着された平板の板羽根である。ダンパ２５,２６は図略した操作部材によって水平方向を向いた開又は垂直方向を向いた閉の位置をとるようになっている。上ダンパ２５は室内側へ開いて水平方向となる。下ダンパ２６は開口２２ｂ内で運動する内開きである。
【００８７】
このような給排気構成は建物Ａの外壁面１側に構成されているので、図１又は図５において外壁面１側が図１３の構成を有する（建物全体は図略）。先ず、室Ｒ１，Ｒ２，Ｒ３の吹抜け４に面している開口１ｒａ，１ｒｂ，１ｒｃが閉じている際の作用について説明する。
【００８８】
開口１ｒａ，１ｒｂ，１ｒｃが閉じている際、室Ｒ１，Ｒ２，Ｒ３の個別換気が行なわれる。図１３（ａ）は個別換気の際のルーバとダンパの状態を示す。上ダンパ２５、下ダンパ２６は開いている。通常風力の風ｗでは外気は給気ルーバ２４、下ダンパ２６が開いている開口２２ｂを通じて矢印ｊのように流入し、室Ｒ１を循環した後は矢印ｋのように上ダンパ２５の開いている開口２２ａ、換気ルーバ２３を通じて排出される。強風時は換気ルーバ２３が閉じるので下の開口２２ｂへ吹き込む風が室Ｒ１を吹き抜けることはない。
【００８９】
建物Ａの全体換気は室Ｒ１，Ｒ２，Ｒ３の開口１ｒａ，１ｒｂ，１ｒｃの少なくとも１つが開放された状態で行われる。本例では開口１ｒａが開いている。図１３（ｂ）で示すように上ダンパ２５は閉じ、下ダンパ２６は開いた状態である。このときの全体換気における空気流は参考例１において説明した処と同様である。
図１３（ｃ）ではダンパ２５，２６は閉じられており建物Ａ全体の換気、室Ｒ１，Ｒ２，Ｒ３の個別換気は行なわれない。
（実施例３）
【００９０】
図１４は実施例３の建物の縦断面図である。建物全体の構成は給気側を除いて図１の（参考例１）に示す建物と同様である。以下に図１に示す建物と異なる構成を説明する。
【００９１】
図１４において風ｗが吹き付ける建物Ａの一方の外壁面１側に各室Ｒ１，Ｒ２，Ｒ３の開口２７が設けられている。この開口２７は各室Ｒ１，Ｒ２，Ｒ３の天井側に設けてある。この開口２７には給排気装置２８が夫々設けてある。
給排気装置２８は各室Ｒ１，Ｒ２，Ｒ３の個別換気と建物Ａの全体換気を選択的に行なうことができる。
【００９２】
図１５、図１６は給排気装置２８の縦断面図である。上述した図１４の説明の開口２７は夫々が上開口２７ａ、下開口２７ｂとして上下に分れている。下開口２７ｂの下側は窓の上枠となる横架材２９により仕切られた窓３１である。上記開口２７はらんま部分に相当する。窓３１は例えばガラスが嵌め殺しとなっている。横架材２９の内部側にはブラインド３２が設けられている。
【００９３】
開口２７を上下に仕切る横架した仕切材３３により開口２７は上下に仕切られて上開口２７ａ、下開口２７ｂが形成される。仕切り材３３から外方へ突出する底板３４ａと底板３４ａの先端から立上る前板３４ｂとは、防風部材である防風ボックスとし構成する防風板３４の部材である。前板３４ｂは外壁面１と平行しほぼ上開口２７ａと形状大きさが同じで空間３４ｃをおいて上開口２７ａと対向している。防風板３４の内側の空間３４ｃは両端が図１５、図１６の紙面に平行な板材で塞がれている。防風板３４で囲まれた空間３４ｃの開放された上部開口には個別換気用逆流防止ルーバ３５が設けてある。換気用逆流防止ルーバ３５の構成は、図３を用いて説明した逆流防止ルーバ９（建物としての換気における排気用の開口に設けたルーバ）において駒１２ａを備えない構成となっている。従って、換気用逆流防止ルーバ３５は風ｗの風速が大となる風力により閉じ風速が小となると開く。
【００９４】
仕切材３３に図の紙面に直交する方向の中心を有するヒンジ３６ａによりダンパ３６が支持されている。ダンパ３６はヒンジ３６ａを中心にして回動して垂直位置においては上開口２７ａを閉じ、水平位置においては上開口２７ａを開放する。ダンパ３６は水平位置において、導風作用を有し、室内換気の際下開口２７ｂから室Ｒ１に進入した外気が室Ｒ１へ吹き込まないで上開口２７ａ、空間３４ｃ、換気用逆流防止ルーバ３５を通じて吹き抜けるのを抑止する機能を持っている。ダンパ３６の水平状態はダンパ３６のヒンジ３６ａを中心として時計回りに回動するのを制止する図示されないストッパにより保たれる。
【００９５】
下開口２７ｂをふさぐように給気用逆流防止ルーバ３７が配設されている。このルーバ３７は外気は自由に進入し、室内空気が外部に流出するのを抑制する機能をもっている。
【００９６】
図１７、図１８、図１９は給気用逆流防止ルーバ３７の側断面略図である。給気用逆流防止ルーバ３７の羽根３７ａは図の紙面に直交する方向に長いストリップ状である。羽根３７ａは、図の紙面に直交する方向の支持軸３７ｂで揺動自在に下開口２７ｂを構成する両側の竪枠に支持されている。支持軸３７ｂは羽根３７ａの幅方向（図１９において見付方向）の中間にある。羽根３７ａの支持軸３７ｂで分れる大幅部３７ａ２は小幅部３７ａ１より幅が広い。支持軸３７ｂを中心とする重力による一次モーメントは大幅部３７ａ２よりも小幅部３７ａ１の方がわずかに小さい。これによって羽根３７ａは支持軸３７ｂを中心に時計回りに回動する。羽根３７ａの回動はストッパ３７ｃで止められる。
【００９７】
図１６に示すように、風ｗの風速の大小にかかわらず給気状態のときは、羽根３７ａ間は開いている。ストッパ３７ｃは羽根３７ａの小幅部３７ａ１の上側で支持軸３７ｂの近くに設けてもよい。
【００９８】
上述の給気用逆流防止ルーバ３７は、建物Ａ全体の換気時、室Ｒ１の個別の換気時で図１８の逆流防止状態にあるとき、給気の空気流は図１５、図１６の矢印ｑのように左から右方に流れるので羽根３７ａは支持軸３７ｂを中心とする時計回りのモーメントが増大するだけで開いたままである。尚、空気流により羽根３７ａが受ける力は、羽根表では正圧、羽根裏では負圧となり、羽根３７ａは空気流により表裏で同方向の力を受ける。図１４において、室Ｒ１から室内空気が外部側に向う空気流が生ずると、図１８において羽根３７ａは支持軸３７ｂを中心にして反時計回りに回動して羽根３７ａは互いに重なり、且つ下開口２７ｂの開口枠との間も閉じる。従って室内空気は逆流して下開口２７ｂから排出されない。
【００９９】
参考例１の図２、図３、図４に示す排気用逆流防止ルーバ９と同様に、駒１２ａを備えた開閉装置１２が設けられている。本例の駒１２ａは上下方向に移動する。参考例１の駒１２ａは左右方向に移動する点を除くと駒１２ａの構成作用は同様であるので、その説明は参考例１における説明を援用する。
（実施例３の作用）
（全体換気）
【０１００】
図１６に示すようにダンパ３６は図示されない操作部材を介して閉じており、上開口２７aを通じた空気流は無い。図１８に示すように給気は許すが逆流は抑止するように開放されている給気用逆防止ルーバ３７を通じて室Ｒ１，Ｒ２，Ｒ３、吹抜け４、換気室６と流れた空気は、排気用逆流防止ルーバ9を通じて排気される。
【０１０１】
強風で排気用逆流防止ルーバ９が閉じると図１４においても、図５で説明したように下階の室Ｒ１の空気は吹抜け４、上階の室Ｒ３を通じて室Ｒ３の下開口２７ｂに向う。開口２７は上開口２７ａがダンパ３６で閉じているので下開口２７ｂを通じて室内の空気が外へ出ようとすると、羽根３７ａの室内に面する側はその空気流により圧せられ羽根３７ａは支持軸３７ｂを中心にして反時計回りに回転して給気用逆流防止ルーバ３７は閉じるので、上階の室Ｒ３には逆流は生じない。従って、下階の室Ｒ１から汚れた空気が上階室Ｒ３へ回り込むことが防止される。
（個別換気）
【０１０２】
各室Ｒ１，Ｒ２，Ｒ３と吹抜け４間の開口１ｒａ，１ｒｂ，１ｒｃが閉じられている場合について説明する。以下、室Ｒ１についてのべるが室Ｒ２，Ｒ３においても同様である。このとき、図１５に示すように室Ｒ１においてダンパ３６を開く。矢印ｑのように給気用逆流防止ルーバ３７を通じて室Ｒ１へ外気が流入する。ダンパ３６により室Ｒ１において下開口２７ｂから上開口２７ａに直接流れようとする空気流は生じない。風ｗに基く矢印ｑの空気流は室Ｒ１に押し込まれる空気流であるので室Ｒ１の下層を奥側へ向って進み、室Ｒ１の事務機器、照明、人体等により加熱された空気は上昇し乍進み室Ｒ１の奥で天井側へ反転して天井側を上開口２７ａへ進み、上開口２７ａ、空間３４ｃ、個別換気のための排気用逆流防止ルーバ３５を通じて矢印ｒのように排出される。このとき、ダンパ３６があるので矢印ｑの空気流が下開口２７ｂから室Ｒ１に流入してから直接上開口２７ａに向かうことは抑制されるので矢印ｒの空気流が確保される。
【０１０３】
風ｗの風速が増すと換気用逆流防止ルーバ３５は閉じる。矢印ｑの給気となる空気流は室Ｒ１の空気が閉じられているのでその速度を減衰するので室Ｒ１の一部の空気の乱れが生ずるだけである。
【０１０４】
この実施例によれば建物全体の換気と各室の個別換気を効果的に行うことができ、且つ全体換気と個別換気の切換はダンパ３６のみであるので操作にわずらわしさがない。
【０１０５】
上記において、ダンパ３６の操作部材と室Ｒ１，Ｒ２，Ｒ３の開口１ｒａ，１ｒｂ，１ｒｃを開閉する障子等の操作部材を連動することにより、ダンパ３６の開閉を意識することなくこの障子を開閉することにより全体換気と個別換気の切換ができるので好適である。
【０１０６】
上記において、給気用逆流防止ルーバ３７は図１７に示すように強制開放しても個別換気の作用は同じである。図１９に示す給気用逆流防止ルーバ３７の強制閉鎖は風ｗがきわめて強い風雨等の悪天候の際に用いられる。このとき、強風により排気ルーバ９、換気ルーバ３５は閉じるので建物Ａ内への強風の吹き込みはない。
【０１０７】
（参考例３）
建物全体又は建物の一部分へ給気又は排気を行う夫々の装置の具体的な構成について説明する。
図２０は、建物Ａ全体の排気のための防風板８と排気用逆流防止ルーバ９の側断面図、図２１は水平断面図である。六立方体の空間８ａの稜線の位置にアルミニウム押出型材の枠材を配して一体的とした構造材で六立方枠体８ｂが構成されている。六立方枠体８ｂの正面側の上枠、下枠、竪枠により囲撓構成した四方枠の内周の条溝８ｃには前板である正面防風板８ｄが嵌め込まれている。六立方枠体８ｂの下面側の四方枠の内周に設けた条溝８ｅには下板となる下面防風板８ｆが設けられている。図２０の紙面に平行する側板となる側面防風板８ｇは、図２１に示すように空間８ａの図２０の紙面に平行な両端にあり、該位置における六立方枠体８ｂの四方枠の内周側の条溝８ｈに嵌め込まれている。六立方枠体８ｂの上部の四方枠にはその内周側に排気用逆流防止ルーバ９が設けられている。
【０１０８】
換気室６と空間８ａ間の開口６ｉには、四方枠が躯体に固定され四方枠に引き違い障子４１が開閉自在に嵌め込まれている。このような立体形の防風板８と排気用逆流防止ルーバ９を備えた建物Ａの上部の外観は、斜視図の図２２に示されている。
【０１０９】
上述した防風板８は建物Ａの最高位置にあり、箱形でらんまの障子４６を設ける面より突出している。なお、図２２には防風板８の下方に吹抜け４の明り取りとして設ける場合の障子４６を付記してある。図２２に（１４）とあるのは給気側の防風板として建物Ａの中間位置に使用した場合を示している。
（実施例４）
【０１１０】
建物Ａの室Ｒ１，Ｒ２，Ｒ３の窓のらんまの位置に設ける換気又は排気のための防風板、ルーバ等を収納可能とした構成を図２３、図２４に示す。図６、図７に示した給排気ボックス１７に適用される。また、排気用防風板８、給気用防風板１４にも適用可能である。
【０１１１】
図２３においてらんまを構成する四方枠４２の上枠４２ａには換気用逆流防止ルーバ１８の外周枠１８ｂがヒンジ４２ａ１でもって枢着されている。ヒンジ４２ａ１はその中心の軸は四方枠４２の上枠４２ａと平行している。換気用逆流防止ルーバ１８は図２３に点線で軌跡ｒ１を示すように、水平方向の位置と水平方向の位置からヒンジ４２ａ１を中心にして反時計回りに回動して四方枠４２に沿う位置とをとることができる。換気用逆流防止ルーバ１８は水平位置においては防風板１４の前板１４ｂを保持する四方枠１４ｅの上枠により支持される。
【０１１２】
らんまを構成する四方枠４２の下枠４２ｂには、給気用逆流防止ルーバ１３の外周枠１３ｂがヒンジ４２ｂ１でもって枢着されている。ヒンジ４２ｂ１はその中心の軸が四方枠４２の下枠４２ｂと平行している。給気用逆流防止ルーバ１３は、図２３に点線で軌跡ｒ２を示すように、水平方向の位置からヒンジ４２ｂ１を中心にして時計回りに回動して四方枠４２に沿う位置をとることができる。給気用逆流防止ルーバ１３が水平方向の位置においては、前板１４ｂを保持している四方枠１４ｅの下枠に設けた図示されないストッパにより下方への回動が止められるようになっている。
【０１１３】
図２４に示すように防風板１４の側板１４ｃは四方枠１４ｄで保持された側板である。側板１４ｃはらんまを構成する四方枠４２の竪枠４２ｃに上下方向の中心軸を有するヒンジ４２ｃ１で夫々枢着されている。四方枠１４ｄで保持された側板１４ｃは、図２４に示すように外壁面１に平行する四方枠４２を含む面に直交する位置と四方枠４２を含む面に給気用逆流防止ルーバ１３、換気用逆流防止ルーバ１８を間にして重なる位置をとる。
【０１１４】
防風板１４の前板１４ｂの縁は四方枠１４ｅの内周の条溝１４ｅ１に嵌め込まれ保持されている。前板１４ｂ、四方枠１４ｅは図２３、図２４に示す位置と四方枠４２と近接して重なる位置をとることができる。本例では前板１４ｂと四方枠１４ｅはらんまとなる四方枠４２に対して平行運動をとるようにしてある。平行運動装置としては種々の構成が採用される。
【０１１５】
図２３に示すように四方枠４２の竪枠４２ｃの上部にリンク４３の上端がピン４３ａで枢着されている。リンク４３の下端はピン４３ｂによりすべり子４３ｃに枢着されている。すべり子４３ｃは四方枠１４ｅの竪枠１４ｆの下部に上下方向に長く設けた案内条溝１４ｆ１に上下動自在に嵌合している。リンク４３，４４はピン４５により枢着されている。
四方枠１４ｅの竪枠１４ｆの上部にリンク４４の上端がピン４４ａで枢着されている。リンク４４の下端はすべり子４４ｃにピン４４ｂにより枢着されている。すべり子４４ｃは竪枠４２ｃの下部に上下方向に長く設けた案内条溝４２ｃ２に上下動自在に嵌合している。
【０１１６】
この実施例での給排気ボックス１７の収納についてのべる。図２３に示す換気用逆流防止ルーバ１８の外周枠１８ｂの四方枠１４ｅへの係止を解く。ヒンジ４２ａ１を中心にして反時計回りに換気用逆流防止ルーバ１８を回動して四方枠４２の上半部に重ねる。ヒンジ４２ｂ１を中心にして反時計回りに給気用逆流防止ルーバ１３を時計回りに回動して四方枠４２の下半分に重ねる。
【０１１７】
図２４に示すようにヒンジ４２ｃ１を中心にして側板１４ｃを夫々回動して四方枠４２に先に収納してある給気用逆流防止ルーバ１３、換気用逆流防止ルーバ１８を介して重ねる。これによって、平行運動装置の部材であるリンク４３，４４、すべり子４３ｃ，４４ｃを介して四方枠１４ｅに保持された前板１４ｂは四方枠４２の前方の空間に位置する。
【０１１８】
最後に前板１４ｂを四方枠４２に向って移動すると、リンク４３，４４は交叉角θを拡大すると同時にすべり子４３ｃ，４４ｃは案内条溝１４ｆ１，４２ｃ２に案内されて下降する。これによって四方枠１４ｅに保持された前板１４ｂは四方枠４２上に先に重ねられている換気ルーバ１８，給気ルーバ１３、四方枠１４ｄで保持された側板１４ｃに重ねられる。
収納してある給排気ボックス１７を作用する状態とするには上記と逆の順序で展開する。
【０１１９】
この実施例において、換気ルーバ１８に代えて板材で上面を閉塞すると参考例１における防風板１４と給気ルーバ１３を備えた給気ボックスに適用される。また、給気ルーバ１３に代えて板材で下面を閉塞するとボックス状の防風板８と排気ルーバ９を備えた排気ボックスに適用される。
【０１２０】
上記において、給排気ボックス１７を建物の開口部の四方枠４２に造り付けとしたが、四方枠４２を給排気ボックス１７を構成する部材とすることにより、給排気ボックス１７はユニット化されるので建物への取り付けは締結部材のみによることができる。従って、ユニット化により建物への取り付けが容易となる。
（実施例５）
【０１２１】
図２５は既存枠への給排気ボックス１７又は排気用逆流防止ルーバ９を備えたボックス状の防風板８の既存枠への取付を示す水平断面図である。建物Ａの開口（６ｉ，１ａ，１ｂ，１ｃ）の内周に設けた開口枠の竪枠４７の外部側には上下方向に突条４７ａが設けられている。
【０１２２】
図２０、図２１に示す防風板８と排気用逆流防止ルーバ９を有する排気ボックスの突条４７ａへの取付を説明する。排気ボックスの建物Ａに沿う側の上下方向の竪枠８ｉは、全体として溝型鋼形（材質はアルミニウム）で、片側のフランジ８ｊは先端８ｊ１で折り返して舌部８ｊ２をフランジ８ｊに重ねられている。舌部８ｊ２で形成される溝部８ｊ３の幅は組立状態で突条４７ａの厚さと等しい。舌部８ｊ２の先端は図において下方に曲げられて導入部８ｊ４となっている。部品の状態では導入部８ｊ４の根本である口部８ｊ５はフランジ８ｊに接しているか、近接している。
【０１２３】
排気ボックスは、建物Ａ側の突条４７ａに条溝８ｊ３の口部８ｊ５から差し込む。舌部８ｊ２の導入部８ｊ４、口部８ｊ５とフランジ８ｊ間は突条４７ａにより押し拡げられて、突条４７ａはフランジ８ｊと舌部８ｊ２で強く加圧される。
このように、この排気ボックスは既存建物の排気用の開口に取付可能である。同様に給気ボックス、給排気ボックスを既存枠に取り付けることができる。
【符号の説明】
【０１２４】
１…一方の外壁面  １ａ，１ｂ、１ｃ，１ｒａ，１ｒｂ，１ｒｃ…開口１ｄ…庇  
２…他方の外壁面  
４…吹抜け
５…屋根
６…換気室  ６ｉ…開口
８…防風板  ８ａ…空間  ８ｂ…六立方枠体  ８ｃ…条溝  ８ｄ…正面防風板８ｅ…条溝  ８ｆ…下面防風板  ８ｇ…側面防風板  ８ｈ…条溝  ８ｉ…竪枠  ８ｊ…フランジ  ８ｊ１…先端  ８ｊ２…舌部  ８ｊ３…条溝  ８ｊ４…導入部  ８ｊ５…口部  
９…排気用逆流防止ルーバ  ９ａ…羽根  ９ａ１…下側部  ９ａ２…上側部９ｂ…支持軸  ９ｃ…四方枠
１０…屋上
１１…ストッパ
１２…開閉装置  １２ａ…駒
１３…給気用逆流防止ルーバ  １３ａ…羽根  １３ａ１…下側部  １３ａ２…上側部  １３ｂ…外周枠
１４…防風板  １４ａ…空間  １４ａ１…上空間  １４ａ２…下空間  １４ｂ…前板  １４ｃ…側板  １４ｄ…四方枠  １４ｅ…四方枠  １４ｅ１…条溝  １４ｆ…竪枠  １４ｆ１…案内条溝
１５…支持軸
１６…廊下
１７…給排気ボックス  
１８…換気用逆流防止ルーバ  １８ａ…羽根  １８ｂ…外周枠
２１…上下分断ボード
２２…隔離部材  ２２ａ，２２ｂ…開口
２３…換気用逆流防止ルーバ
２４…給気用逆流防止ルーバ
２５…排気側ダンパ（上ダンパ）  ２５ａ…ヒンジ
２６…給気側ダンパ（下ダンパ）  ２６ａ…ヒンジ
２７…開口  ２７ａ…上開口  ２７ｂ…下開口  
２８…給排気装置
２９…横架材
３１…窓
３２…ブラインド
３３…仕切材
３４…防風板  ３４ａ…底板  ３４ｂ…前板  ３４ｃ…空間
３５…個別換気用逆流防止ルーバ  
３６…ダンパ  ３６ａ…ヒンジ
３７…給気用逆流防止ルーバ  ３７ａ…羽根  ３７ａ１…小幅部  ３７ａ２…大幅部  ３７ｂ…支持軸
４１…障子
４２…四方枠    ４２ａ…上枠  ４２ａ１…ヒンジ  ４２ｂ…下枠  ４２ｂ１…ヒンジ  ４２ｃ…竪枠  ４２ｃ１…ヒンジ  ４２ｃ２…案内条溝
４３…リンク  ４３ａ，４３ｂ…ピン  ４３ｃ…すべり子
４４…リンク  ４４ａ，４４ｂ…ピン  ４４ｃ…すべり子  
４５…ピン
４６…障子
４７…竪枠  ４７ａ…突条
Ａ…建物
Ｒ１，Ｒ２，Ｒ３…室  Ｒ１ｆ…床  Ｒ１ｃ…天井
ＦＬ…床面
Ｈ…熱だまり
ＳＬ…日照
ｗ…風  ｗ１，ｗ１−１，ｗ２，ｗ３，ｗ４，ｗ５，ｗ６，ｗ７，ｗ１０…空気流  ｗ８，ｗ９…上昇流
θ…交叉角
【手続補正２】
【補正対象書類名】特許請求の範囲
【補正対象項目名】全文
【補正方法】変更
【補正の内容】
【特許請求の範囲】
【請求項１】
開口を有する一方の外壁面と、
一方の外壁面に対して反対側で通気できる開口を有しない他方の外壁面と、
建物の最上部に設けられ一方の外壁面に設けた開口と同方向に向けて開口した排気用の開口と、を有し、
一方の外壁面に設けた開口から排気用の開口まで内部に換気通路となる空間を有する多層階の自然換気装置を有する建物において、
一方の外壁面に開口を有する室を備え、
一方の外壁面に開口を有する室のこの開口とは反対側の建物内の開口であって、排気用の開口に連通している建物内の開口に、開閉部材を有し、
一方の外壁面側の開口には、前記開閉部材の開時に建物全体の換気を行なうと共に前記開閉部材の閉時に室の換気を行なう、給気又は給排気を行う装置を有することを特徴とする自然換気装置を有する建物。
【請求項２】
一方の外壁面側の開口には、上面に風力の大小によって室内への外気の流入を抑制し又は室内空気を排出する換気用逆流防止ルーバと、下面に給気を行なう給気ルーバと、換気用逆流防止ルーバと給気ルーバ間の空間を建物外部に対して閉塞する防風部材と、を有することを特徴とする請求項１に記載の自然換気装置を有する建物。
【請求項３】
防風部材内で換気用逆流防止ルーバと給気ルーバ間を上下に仕切り、一方の外壁面側の開口を越えて室内にのびる、導風部材を有することを特徴とする請求項２に記載の自然換気装置を有する建物。
【請求項４】
一方の外壁面側の開口は室の天井側と床側に離れて夫々設けられ、天井側の開口には、外気の風力により作動して風力の大きいときに閉じる換気用逆流防止ルーバと、建物の全体換気を行うときは閉じ、室の個別換気を行なうときは開く上ダンパとを重ねて設けられ、床側の開口には、外気が流入するときは開き、室内の空気が外部に流出しようとするときは閉じる給気用逆流防止ルーバと、上ダンパと併せて全体換気、個別換気を共に行なわないときに閉じる下ダンパとを有することを特徴とする請求項１に記載の自然換気装置を有する建物。
【請求項５】
一方の外壁面の開口を上下に仕切って上開口下開口を構成する仕切材と、下開口に設けられ外気を給気できるが室内空気の建物外部への流出を抑制する給気用逆流防止ルーバと、上開口の外部側に設けられ上面が開口して空間を介して上開口と連通する防風部材と、防風部材の上面の開口に設けられ室の空気を建物外へ排出するが外気の風力が大となると閉じるように作用する個別換気用逆流防止ルーバと、仕切材に枢着されて上開口を閉じた位置と内開きしてほぼ水平方向の位置をとり、水平方向の位置において導風作用をするダンパとを有することを特徴とする請求項１に記載の自然換気装置を有する建物。
【請求項６】
給気用逆流防止ルーバは一方の外壁面と平行に立設されている請求項５に記載の自然換気装置を有する建物。
【請求項７】
給気又は排気を行う装置は、一方の外壁面に対して平行な前板と、一方の外壁面に対して垂直な側板と、夫々一方の外壁面に対して垂直な方向で水平方向に平らな下側の給気用逆流防止ルーバと、及び上側の換気用逆流防止ルーバと、を有して組立状態において中空六立方体状を構成し、側板、給気用逆流防止ルーバ、換気用逆流防止ルーバは夫々一方の外壁面に設けた開口の縁に一方の外壁面に平行な位置と垂直な位置をとるように夫々枢着され、前板は一方の外壁面に沿う位置と一方の外壁面側から離れて一方の外壁面に平行な位置をとるように、一方の外壁面に平行運動装置でもって結合されていることを特徴とする請求項１に記載の自然換気装置を有する建物。